(57)【特許請求の範囲】
【請求項１】
自装置配下に在圏する無線通信端末の加入者情報であって、端末の種類を示す端末種別に関する情報を含む加入者情報を記憶する加入者情報記憶手段と、
前記無線通信端末より送信される通信開始要求を受信する通信開始要求受信手段と、
前記受信した通信開始要求に係る前記無線通信端末の端末種別に基づいて、前記受信した通信開始要求に係る前記無線通信端末がページング抑止の対象となる端末かどうかを判定する判定手段と、
前記判定手段が前記ページング抑止の対象となる端末であると判定した場合に前記無線通信端末を識別する情報をページング抑止対象端末情報として保持する保持手段と、
ネットワーク側よりパケットを受信するパケット受信手段と、
前記受信したパケットに係る無線通信端末に対するページングを抑止するかどうかを前記ページング抑止対象端末情報に基づいて判断する判断手段と、
を備える着信制御システム。
【請求項２】
自装置配下に在圏する無線通信端末の加入者情報であって、端末の種類を示す端末種別に関する情報を含む加入者情報を記憶する加入者情報記憶手段と、
前記無線通信端末より送信される通信開始要求を受信する通信開始要求受信手段と、
前記受信した通信開始要求に係る前記無線通信端末の端末種別に基づいて、前記受信した通信開始要求に係る前記無線通信端末がページング抑止の対象となる端末かどうかを判定する判定手段と、
前記判定手段が前記ページング抑止の対象となる端末であると判定した場合に前記無線通信端末を識別する情報をページング抑止対象端末情報として通知する通知手段と、
を備える着信制御対象端末特定装置。
【請求項３】
前記加入者情報は、ページング抑止に係る内容を含む契約情報を含み、
前記判定手段は、前記受信した通信開始要求に係る前記無線通信端末の契約情報に基づいて前記通信開始要求に係る前記無線通信端末がページング抑止の対象となる端末かどうかを判定する、
請求項２に記載の着信制御対象端末特定装置。
【請求項４】
輻輳が発生しているかどうかを検出する輻輳検出手段を更に備え、
前記判定手段は、輻輳が発生しているかどうかに基づいて前記通信開始要求に係る前記無線通信端末がページング抑止の対象となる端末かどうかを判定する、
請求項２又は３に記載の着信制御対象端末特定装置。
【請求項５】
前記通信開始要求受信手段は、無線通信端末より送信されるActivate PDP Context Requestを前記通信開始要求として受信し、
前記判定手段は、前記受信したActivate PDP Context Requestに係る前記無線通信端末がページング抑止の対象となる端末かどうかを判定し、
前記通知手段は、前記ページング抑止対象端末情報をCreate PDP Context responseに含めて通知する、
請求項２乃至４いずれか１項に記載の着信制御対象端末特定装置。
【請求項６】
前記通信開始要求受信手段は、無線通信端末より送信されるAttach Requestを前記通信開始要求として受信し、
前記判定手段は、前記受信したAttach Requestに係る前記無線通信端末がページング抑止の対象となる端末かどうかを判定し、
前記通知手段は、前記ページング抑止対象端末情報をCreate Session Requestに含めて通知する、
請求項２乃至４いずれか１項に記載の着信制御対象端末特定装置。
【請求項７】
自装置配下に在圏する無線通信端末の加入者情報であって、端末の種類を示す端末種別に関する情報を含む加入者情報を記憶する加入者情報記憶ステップと、
前記無線通信端末より送信される通信開始要求を受信する通信開始要求受信ステップと、
前記受信した通信開始要求に係る前記無線通信端末の端末種別に基づいて、前記受信された通信開始要求に係る前記無線通信端末がページング抑止の対象となる端末かどうかを判定する判定ステップと、
前記判定ステップで前記ページング抑止の対象となる端末であると判定された場合に前記無線通信端末を識別する情報をページング抑止対象端末情報として通知する通知ステップと、
を備える着信制御対象端末特定方法。
【発明の詳細な説明】
【技術分野】
【０００１】
本発明は着信制御機能を備えた移動体通信システムに関する。
【背景技術】
【０００２】
近年標準化が進められている移動体通信システムにおいて、パケットをネットワークから受け取った場合のページング処理の流れが非特許文献１及び非特許文献２に詳しく開示されている。【０００３】
例えば、非特許文献１の9.2.2.2.1の項目（Successful Network-Requested PDP Context Activation Procedure）には、ＧＧＳＮ（Gateway GPRS Support Node）がPDP PDUをネットワークより受信した際の接続処理の流れが詳しく開示されている。また、非特許文献２の5.3.4.3の項目（Network Triggered Service Request）には、P−ＧＷ（PDN Gateway）がDownlink Dataをネットワークより受信した際の接続処理の流れが詳しく開示されている。このようにコアネットワークＣＮ内に配置された上位装置においてパケットが受信された場合に着信処理が開始される。【０００４】
また、移動体通信システムにおける携帯端末への着呼の抑止技術が開発されている。例えば特許文献１には、コンサートホール等、使用禁止エリア内に在圏する携帯端末に対する着呼の抑止を、別途専用の無線基地局を設置せずに実現することで、設備費を抑えつつ実現する技術が開示されている。当該技術によれば、使用禁止エリア内に別途設置された位置登録信号受信機が携帯端末より発信された位置登録信号を受信して電話交換機に送信し、電話交換機が受け付けた位置登録信号に基づいて着呼の制御を行うことができる。【０００５】
また、特許文献２には、携帯端末が高速移動中であることを迅速に検出して着信規制を行う技術が開示されている。当該技術によれば、携帯端末は、通信中の基地局を介してＧＰＳ信号に基づいて算出する位置情報を交換機に送り、交換機が位置情報の差分に基づいて移動速度を算出して、高速移動端末であるかどうかを管理することで着呼の制御を行うことができる。
【先行技術文献】
【特許文献】
【０００６】
【特許文献１】特開２０００−２３６５７２号公報
【特許文献２】特開２００１−３２６９７６号公報
【非特許文献】
【０００７】
【非特許文献１】3GPP TS 23.060 "General Packet Radio Service (GPRS); Service description; Stage 2"
【非特許文献２】3GPP TS23.401 "General Packet Radio Service (GPRS) enhancements for Evolved Universal Terrestrial Radio Access Network (E-UTRAN) access"
【発明の概要】
【発明が解決しようとする課題】
【０００８】
上述の非特許文献に開示されているページング方法では、パケット着信時に端末を区別せずにページング処理を受け付けている。ここで、ネットワーク上に大量の端末が存在する場合、その大量の端末宛にパケット着信が行われると、ページング処理も大量に発生し、ネットワークや処理装置に多大な負荷を掛け、輻輳や装置障害を引き起こす可能性がある。【０００９】
ここで、端末の用途などによっては着信の必要がなく、ページング処理も不要の場合があるため、ページング処理を実施しないことによってネットワークや装置の負荷を軽減させる必要がある。しかしながら、上記非特許文献に開示されている技術では端末を区別せずにページング処理を受け付けており、ページングを抑止する手段がなく、ネットワークや処理装置に無駄な負荷を掛けることになっていた。【００１０】
ここで、上記特許文献１、２に関する着呼制御技術では、携帯端末が使用禁止エリアに存在するかと言った位置情報や高速で移動しているかと言った移動速度に基づいて着呼の制御を行っている。しかしながら、これらの制御技術を基盤とする着呼制御方法では、スマートフォンの普及等に起因して近年通信トラフィックが急激に増えたことに起因する通信回線の安定的な提供という問題に対して、輻輳状態を監視しながら適切に対処することや、キャリアと加入者との間における契約内容に基づいて柔軟に対処するといった技術基盤を提供することが困難であった。【００１１】
また、特許文献１の技術では、使用禁止エリア毎に位置登録信号受信器を設置する必要がある。更に、電話交換機は基地局と当該位置登録信号受信器の両方から同時に受信した位置登録信号を受信した場合に当該位置登録信号の送信元である携帯端末の着呼制御を行うが、電話交換機においてこれら２つの位置登録信号が同時に受信されたかどうかを判断する高度な判断機構が必要となるという問題も存在していた。【００１２】
本発明は上記課題を鑑み、不要なページング処理が発生することを抑制することで、ネットワークや処理装置にかかる処理負担を軽減する着信制御システム及び当該システムで用いられる着信制御装置、着信制御対象端末特定装置、着信制御方法を提供することを目的とする。
【課題を解決するための手段】
【００１３】
本発明の第１の態様に係る着信制御システムは、無線通信端末より送信される通信開始要求を受信する通信開始要求受信手段と、前記受信した通信開始要求に係る前記無線通信端末がページング抑止の対象となる端末かどうかを判定する判定手段と、前記判定手段が前記ページング抑止の対象となる端末であると判定した場合に前記無線通信端末を識別する情報をページング抑止対象端末情報として保持する保持手段と、ネットワーク側よりパケットを受信するパケット受信手段と、前記受信したパケットに係る無線通信端末に対するページングを抑止するかどうかを前記ページング抑止対象端末情報に基づいて判断する判断手段と、を備える。【００１４】
また、本発明の第２の態様に係る着信制御装置は、ページング抑止の対象となる無線通信端末に関するページング抑止対象端末情報を保持する保持手段と、ネットワーク側よりパケットを受信するパケット受信手段と、前記受信したパケットに係る無線通信端末に対するページングを抑止するかどうかを前記ページング抑止対象端末情報に基づいて判断する判断手段と、を備える。【００１５】
また、本発明の第３の態様に係る着信制御対象端末特定装置は、無線通信端末より送信される通信開始要求を受信する通信開始要求受信手段と、前記受信した通信開始要求に係る前記無線通信端末がページング抑止の対象となる端末かどうかを判定する判定手段と、前記判定手段が前記ページング抑止の対象となる端末であると判定した場合に前記無線通信端末を識別する情報をページング抑止対象端末情報として通知する通知手段と、を備える。【００１６】
また、本発明の第４の態様に係る着信制御方法は、ページング抑止の対象となる無線通信端末に関するページング抑止対象端末情報を保持する保持ステップと、ネットワーク側よりパケットを受信するパケット受信ステップと、前記受信したパケットに係る無線通信端末に対するページングを抑止するかどうかを前記ページング抑止対象端末情報に基づいて判断する判断ステップと、を有する。
【発明の効果】
【００１７】
本発明によれば、不要なページング処理が発生することを抑制することで、ネットワークや処理装置にかかる処理負担を軽減する着信制御システム及び当該システムで用いられる着信制御装置、着信制御対象端末特定装置、着信制御方法を提供することができる。
【図面の簡単な説明】
【００１８】
【図１】実施の形態１に係る着信制御装置の構成を示すブロック図である。
【図２】実施の形態１に係る移動体通信システムの全体構成を示すブロック図である。
【図３】実施の形態２に係る移動体通信システムの全体構成を示すブロック図である。
【図４】実施の形態２に係るページング抑止対象端末特定装置の構成を示すブロック図である。
【図５】実施の形態３に係るページング抑止対象端末特定装置の構成を示すブロック図である。
【図６】加入者情報の一例を示す図である。
【図７】実施の形態３に係るページング抑止対象端末かどうかの判定処理の流れを示すフローチャート図である。
【図８】実施の形態４に係る移動体通信システムの全体構成を示すブロック図である。
【図９】実施の形態４に係るページング抑止対象端末情報の格納までの流れを示すシーケンス図である。
【図１０】実施の形態４に係るページング抑止処理の流れを示すシーケンス図である。
【図１１】実施の形態５に係る移動体通信システムの全体構成を示すブロック図である。
【図１２】実施の形態５に係るページング抑止対象端末情報の格納までの流れを示すシーケンス図である。
【図１３】実施の形態５に係るページング抑止処理の流れを示すシーケンス図である。
【図１４】本発明に係る着信制御システムの構成を示すブロック図である。
【図１５】実施の形態６に係るページング抑止対象端末に関する第１の判定処理の流れを示すシーケンス図である。
【図１６】実施の形態６に係るページング抑止対象端末に関する第２の判定処理の流れを示すシーケンス図である。
【図１７】実施の形態６に係るＳＧＳＮの構成を示すブロック図である。
【図１８】実施の形態７に係るＳＧＳＮの構成を示すブロック図である。
【図１９】実施の形態７に係るページング抑止対象端末に関する判定処理の流れを示すシーケンス図である。
【図２０】実施の形態７に係るページング抑止処理の流れを示すシーケンス図である。
【図２１】実施の形態８に係るページング抑止対象端末情報の格納までの流れを示すシーケンス図である。
【図２２】実施の形態８に係るページング抑止処理の流れを示すシーケンス図である。
【図２３】実施の形態８に係るＳ−ＧＷの構成を示すブロック図である。
【図２４】実施の形態９に係るページング抑止対象端末に関する判定処理の流れを示すシーケンス図である。
【図２５】実施の形態９に係るページング抑止処理の流れを示すシーケンス図である。
【図２６】実施の形態１０に係るＳＧＳＮ側のページング抑止対象端末情報の格納までの流れを示すシーケンス図である。
【図２７】実施の形態１０に係るＭＭＥ側のページング抑止対象端末情報の格納までの流れを示すシーケンス図である。
【図２８】実施の形態１０に係るページング抑止処理の流れを示すシーケンス図である。
【図２９】実施の形態１１に係るページング抑止対象端末情報を共有する処理の流れを示すシーケンス図である。
【図３０】実施の形態１１に係るページング抑止対象端末かどうかの判定処理の流れを示すフローチャート図である。
【図３１】実施の形態１２に係る無線通信システム（ＵＴＲＡＮ）の構成を示すブロック図である。
【図３２】実施の形態１２に係るＭＳＣがページング抑止対象端末情報を格納するまでの処理の流れを示すシーケンス図である。
【図３３】実施の形態１２に係るページング抑止処理の流れを示すシーケンス図である。
【図３４】実施の形態１２に係るページング抑止処理の流れを示すシーケンス図である。
【図３５】実施の形態１２に係る無線通信システム（Ｅ−ＵＴＲＡＮ）の構成を示すブロック図である。
【図３６】実施の形態１２に係るページング抑止処理の流れを示すシーケンス図である。
【発明を実施するための形態】
【００１９】
（実施の形態１）
本発明の実施の形態について以下に図面を参照して説明する。以下の説明は、本発明の好適な実施の形態を示すものであって、本発明の範囲が以下の実施の形態に限定されるものではない。以下の説明において、同一の符号が付されたものは実質的に同様の内容を示している。
【００２０】
図１は、本実施の形態１に係る着信制御装置１００の構成を示すブロック図である。着信制御装置１００は、ページング抑止対象端末情報保持部１１０と、パケット受信部１２０と、ページング抑止要否判断部１３０と、を備える。着信制御装置１００は、図２に示すように、移動体通信システム（無線通信システム）１０００のコアネットワークＣＮ内に配置される。
【００２１】
図２が示すように、移動体通信システム１０００において、複数の基地局１０−Ａ〜１０−Ｃは配下の無線通信端末２０Ａ〜２０Ｅとそれぞれ無線通信を行う。また、各基地局１０−Ａ〜１０−Ｃは、上位装置である着信制御装置１００と通信を行う。着信制御装置１００は、ネットワーク１より配下の無線通信端末宛てのパケットデータ等を受け取り、当該無線通信端末が属する基地局宛てに当該パケットデータ等を送信する。また、配下の基地局より送信されたパケットデータ等を基地局より受け取り、ネットワーク側へ送信する。ここで、着信制御装置１００は、ネットワーク側より配下の無線通信端末宛てのパケットを受けた場合に、ページング処理を抑止するかどうかの判断を行うことを特徴とする。
【００２２】
図１に戻り、着信制御装置１００の各機能について説明する。ページング抑止対象端末情報保持部１１０は、ページング抑止の対象となる無線通信端末に関する情報であるページング抑止対象端末情報を保持する。ページング抑止対象端末情報保持部１１０は、ページング抑止の対象となる無線通信端末の電話番号や個体識別番号など、当該端末を固有に識別する識別子を含む情報をページング抑止対象端末情報として内部のデータベースに記憶している。
【００２３】
パケット受信部１２０は、ネットワーク側よりパケットを受信する。パケットには、パケット着信に係る無線通信端末を識別する識別子が含まれている。
【００２４】
ページング抑止要否判断部１３０は、パケット受信部１２０がパケットを受信した場合に、ページング処理を抑止するかどうかを判断する。具体的には、ページング抑止要否判断部１３０は、ページング抑止対象端末情報保持部１１０に保持されているページング抑止対象端末情報を参照し、当該パケット着信に係る無線通信端末が、ページング抑止の対象となっているかどうかを判定する。すなわち、当該パケットに含まれる無線通信端末の識別子がページング抑止対象端末情報に含まれている場合は、ページング抑止要否判断部１３０は、当該パケット着信に係る無線通信端末はページング抑止の対象となる無線通信端末であるとしてページング処理を行わない。一方、当該識別子がページング抑止対象端末情報に含まれていない場合は、ページング抑止要否判断部１３０は、通常通り当該パケット着信に基づくページング処理を開始する。
【００２５】
以上のように、本実施の形態１に係る着信制御装置は、ページング抑止の対象となる無線通信端末に関する情報を保持しており、ネットワーク側よりパケットを受け取った場合に当該着信に基づく着信処理を上記保持した情報を参照して制御する。当該構成とすることで、不要なページング処理が発生することを防ぐことができる。
【００２６】
なお、上記ページング抑止対象端末情報保持部１１０、パケット受信部１２０、ページング抑止要否判断部１３０、の各機能は、ハードウェアで構成されていても良いし、ＣＰＵ（Central Processing Unit）にプログラムを実行させることで実現される構成としても良い。
【００２７】
（実施の形態２）
本実施の形態２に係る移動体通信システムは、ページング抑止の対象となる無線通信端末を特定するための手段を備えたことを特徴とする。以下、図面を参照して本発明の実施の形態２について説明する。なお、実施の形態１で説明した部分については発明の明確化のため一部説明を省略する。
【００２８】
図３は、本実施の形態２に係る移動体通信システム２０００の構成を示すブロック図である。移動体通信システム２０００は、図２の移動体通信システム１０００と比べて着信制御装置１００と無線通信端末２０の間にページング抑止対象端末特定装置２００が配置されていることを特徴とする。ここで、ページング抑止対象端末特定装置２００は、配下の無線通信端末の中からページング抑止の対象となる無線通信端末を特定して着信制御装置１００に通知する。
【００２９】
図４は、ページング抑止対象端末特定装置２００の構成を示すブロック図である。ページング抑止対象端末特定装置２００は、通信開始要求受信部２１０と、ページング抑止対象端末判定部２２０と、ページング抑止対象端末情報通知部２３０と、を備える。
【００３０】
通信開始要求受信部２１０は、無線通信端末２０より送信された通信の開始を要求する通信開始要求を受信する。
【００３１】
ページング抑止対象端末判定部２２０は、通信開始要求の送信元である無線通信端末がページング抑止の対象となる端末であるかどうかを判定する。ページング抑止対象端末判定部２２０は、上記判定結果を通信開始要求と合わせてページング抑止対象端末情報通知部２３０に出力する。
【００３２】
ページング抑止対象端末情報通知部２３０は、ページング抑止対象端末判定部２２０でページング抑止の対象とする端末であると判定されている場合には、そのことを示すページング抑止対象端末情報と通信開始要求とを着信制御装置１００に送信する。
【００３３】
着信制御装置１００は、ページング抑止対象端末特定装置２００のページング抑止対象端末情報通知部２３０より送信されたページング抑止対象端末情報を受信手段で受信し、ページング抑止対象端末情報保持部１１０に格納する。
【００３４】
以上のように本実施の形態２に係る移動体通信システムは、着信制御装置と無線通信端末との間にページング抑止対象端末特定装置が配置される。そして、当該ページング抑止対象端末特定装置は、無線通信端末より送信された通信開始要求を受信した場合に、当該受信した通信開始要求の送信元である無線通信端末がページング抑止の対象となる端末であるかどうかを判定する。ページング抑止の対象となる端末であると判定された場合は、当該通信開始要求に係る無線通信端末は、ページング抑止の対象となる端末であることを示すページング抑止対象端末情報を着信制御装置に通知する。当該構成とすることで、着信制御装置は、ページング抑止の対象となる端末であることを示すページング抑止対象端末情報を受信して順次格納しておき、パケットをネットワーク側より受け取った場合にページングを抑止するかを当該格納した情報に基づいて判断することができる。
【００３５】
なお、上記通信開始要求受信部２１０、ページング抑止対象端末判定部２２０、ページング抑止対象端末情報通知部２３０、の各機能は、ハードウェアで構成されていても良いし、ＣＰＵにプログラムを実行させることで実現される構成としても良い。
【００３６】
また、上記説明では、ページング抑止対象端末判定部２２０は、通信開始要求の送信元の無線通信端末がページング抑止の対象である端末かどうかの判定を行ったがこれに限るものではない。ページング抑止対象端末判定部２２０は位置登録等の処理に係る無線通信端末について当該判定を行っても良い。
【００３７】
（実施の形態３）
本実施の形態３に係るページング抑止対象端末特定装置は、様々な判定基準に基づいて通信開始要求の送信元である無線通信端末がページング抑止の対象となる端末であるかどうかの判定を行うことを特徴とする。以下、図面を参照して本発明の実施の形態３について説明する。なお、実施の形態１、２で説明した部分については発明の明確化のため一部説明を省略する。
【００３８】
図５は、本実施の形態３に係るページング抑止対象端末特定装置３００の構成を示すブロック図である。ページング抑止対象端末特定装置３００は、通信開始要求受信部２１０と、ページング抑止対象端末判定部３２０と、ページング抑止対象端末情報通知部２３０と、加入者情報保持部３４０と、輻輳状態検出部３５０と、ページング抑止対象時間管理部３６０と、を備える。
【００３９】
加入者情報保持部３４０は、無線通信端末の加入者情報を保持している。図６は、加入者情報の一例を示す図である。加入者情報は、管理番号毎に無線通信端末に関する様々な情報が対応付けられている。図６では、無線通信端末を識別する識別情報と、当該無線通信端末の端末種別と、当該無線通信端末の契約種別がそれぞれ対応付けされている。ここで、端末種別とは当該無線通信端末が携帯電話であるのか、自動販売機にデータ通信用に組み込まれた無線通信端末であるのか、カーナビゲーション装置に組み込まれたデータ通信用の無線通信端末であるのか、など、無線通信端末の種類を示した情報である。また、契約種別とは、無線通信端末に対するキャリアとの契約内容が纏められた情報である。図６では、具体的にページング抑止の対象とする端末であるかどうかが示されている。
【００４０】
輻輳状態検出部３５０は、ネットワークで輻輳が発生していることを検出する。輻輳状態検出部３５０は、ネットワークのトラフィックを監視しており、トラフィック量が所定の基準値を超えた場合に輻輳が発生したと判断する。輻輳状態検出部３５０は、現在のネットワークの輻輳状態の検出結果を内部に保持しておく。
【００４１】
ページング抑止対象時間管理部３６０は、現在の時刻がページング抑止の対象となる時間帯であるかどうかを管理する。
【００４２】
ページング抑止対象端末判定部３２０は、通信開始要求受信部２１０で通信開始要求が受信されると、当該通信開始要求に係る無線通信端末がページング抑止の対象となる端末であるかどうかを判定する。ここで、ページング抑止対象端末判定部３２０は、加入者情報保持部３４０に記憶されている加入者情報、輻輳状態検出部３５０において検出される輻輳状態、ページング抑止対象時間管理部３６０で管理されているページング抑止対象時間、などに基づいてページング抑止の対象となる端末であるかどうかを判定する。
【００４３】
図７は、ページング抑止対象端末判定部３２０が行う動作手順を示すフローチャートである。ページング抑止対象端末判定部３２０は、通信開始要求受信部２１０より通信開始要求を受け取ると、輻輳状態検出部３５０における検出結果に基づいてネットワークが輻輳状態であるかどうかを判定する（ステップＳ３０１）。輻輳状態である場合はステップＳ３０６に進み、輻輳状態でない場合はステップＳ３０２に進む。
【００４４】
ステップＳ３０１の判定の結果、輻輳状態ではなかった場合は、ページング抑止対象端末判定部３２０は、ページング抑止対象時間管理部３６０にアクセスして現在の時刻がページング抑止の対象となる時間帯であるかどうかを判定する（ステップＳ３０２）。ページング抑止の対象となる時間帯である場合はステップＳ３０６に進み、ページング抑止の対象となる時間帯でない場合はステップＳ３０３に進む。
【００４５】
ステップＳ３０２の判定の結果、現在の時刻がページング抑止の対象となる時間帯ではなかった場合は、ページング抑止対象端末判定部３２０は、加入者情報保持部３４０より当該通信開始要求に係る無線通信端末の加入者情報を読み出し、当該加入者情報に含まれる端末種別がページング抑止の対象である端末種別であるかを判定する（ステップＳ３０３）。具体的には、通信開始要求の送信元の無線通信端末を識別する端末識別情報を用いて当該端末の加入者情報を読み出し、当該加入者情報に含まれる端末種別を参照して上記判定を行う。判定の結果、当該端末の端末種別がページング抑止の対象である場合はステップＳ３０６に進む。一方、端末種別がページング抑止の対象でない場合はステップＳ３０４に進む。
【００４６】
ステップＳ３０３の判定の結果、当該端末の端末種別がページング抑止の対象ではなかった場合は、ページング抑止対象端末判定部３２０は、更に加入者情報の契約種別を参照し、当該契約種別がページング抑止の対象となっているかを判定する（ステップＳ３０４）。当該判定の結果、契約種別がページング抑止の対象となっている場合はステップＳ３０６に進む。一方、契約種別がページング抑止の対象となっていない場合はステップＳ３０５に進む。
【００４７】
ステップＳ３０４の結果、契約種別がページング抑止の対象となっていなかった場合は、ページング抑止対象端末判定部３２０は、当該通信開始要求に係る無線通信端末はページング抑止の対象ではないと判断し、通常の通信開始要求処理を進める（ステップＳ３０５）。具体的には、ページング抑止対象端末判定部３２０は、通信開始要求受信部２１０より受け取った通信開始要求をそのままページング抑止対象端末情報通知部２３０に渡し、ページング抑止対象端末情報通知部２３０が当該通信開始要求を上位装置に送信することで通常の通信開始処理が進められる。
【００４８】
一方、ステップＳ３０１〜ステップＳ３０４における各判定処理の結果が「Ｙｅｓ」であった場合は、ページング抑止対象端末判定部３２０は、当該通信開始要求に係る無線通信端末をページング抑止の対象とすると決定し、その決定結果をページング抑止対象端末情報通知部２３０に通信開始要求と合わせて送出する。ページング抑止対象端末情報通知部２３０は、当該決定結果からページング抑止対象端末情報を作成し、当該ページング抑止対象端末情報を通信開始要求と合わせて上位装置に送信する。
【００４９】
以上のように本実施の形態３に係るページング抑止対象端末特定装置は、輻輳が発生しているかどうかを検出する輻輳検出手段を更に備え、当該検出結果に基づいて通信開始要求に係る無線通信端末をページング抑止の対象とするかどうかを判定する。
【００５０】
また、本実施の形態３に係るページング抑止対象端末特定装置は、自装置配下に在圏する無線通信端末の加入者情報を記憶する記憶手段を更に備え、当該加入者情報に基づいて通信開始要求に係る無線通信端末をページング抑止の対象とするかどうかを判定する。より具体的には、加入者情報に含まれる端末種別や契約種別に基づいてページング抑止の対象とするかどうかを判定する。
【００５１】
また、本実施の形態３に係るページング抑止対象端末特定装置は、ページング抑止の対象となる時間帯を管理する管理手段を更に備え、現在の時刻がページング抑止の対象となる時間帯であるかどうかに基づいて、通信開始要求に係る無線通信端末をページング抑止の対象とするかどうかを判定する。
【００５２】
このように、ページング抑止対象端末特定装置が、これらの基準に基づいてページング抑止の対象とするかの判定を行い、必要に応じてページング抑止対象端末情報を作成してページング抑止対象端末情報を上位装置である着信制御装置に送信する構成をとる。その結果、着信制御装置は、ネットワーク側よりパケットを受け取った場合に、当該要求に係るページング処理を行うかどうかを適切に判断することができる。
【００５３】
なお、上記説明した判定基準以外にも例えば装置の負荷状態などを用いて上記判定を行っても良い。すなわち、装置の負荷状態を検出する検出手段を別途備え、ページング抑止対象端末判定部３２０は、当該装置の負荷状態に基づいて、受信手段で受信した通信開始要求に係る無線通信端末がページング抑止の対象となる端末であるかを判定しても良い。
【００５４】
また、上記説明では、ページング抑止対象端末判定部３２０は、ネットワークの輻輳状態やページング抑止対象時間に関する判定を行った後に加入者情報に基づく判定を行う場合について説明したがこれに限るものではない。例えば、加入者情報保持部３４０に記憶されている加入者情報に含まれる契約情報には、ネットワークの輻輳状態の割合やページング抑止対象時間等、加入者毎にページング抑止の対象となる条件が細かく設定されていても良い。ページング抑止対象端末判定部３２０は、加入者情報に含まれる上記契約情報に基づいてページング抑止の対象となる条件を読み込み、現在の輻輳状態や装置負荷状態、現在の時刻等と照合することで、受け取った通信開始要求に係る無線通信端末がページング抑止対象端末であるかどうかを判定する構成であっても良い。当該構成とすることで、加入者とキャリアと間の契約内容を反映させてより細かく着信制御を行うことが可能となる。
【００５５】
（実施の形態４）
本実施の形態４に係る移動体通信システムは、具体的にＵＴＲＡＮ（UMTS Terrestrial Radio Access Network）方式を採用する移動体通信システムであって、実施の形態１〜３で説明したページング抑制機能（着信制御機能）を有する移動体通信システムであることを特徴とする。以下、図面を参照して本発明の実施の形態４について説明する。なお、実施の形態１〜３で説明した部分については発明の明確化のため一部説明を省略する。
【００５６】
図８は、本実施の形態４に係る移動体通信システム４０００（ＵＴＲＡＮ）の構成を示すブロック図である。移動体通信システム４０００は、ＢＴＳ（Base Transceiver Station）４１０と、ＭＳ（Mobile Station）４２０と、ＲＮＣ（Radio Network Controller）４３０と、ＨＬＲ（Home Location Register）４４０と、ＳＧＳＮ（Serving GPRS Support Node）４５０と、ＧＧＳＮ（Gateway GPRS Support Node）４６０と、を備える。
【００５７】
ＭＳ４２０は、無線通信端末である移動局であり、ＢＴＳ４１０と無線通信を行う。ＭＳ４２０は、通信の開始を要求する時に通信開始要求であるActivate PDP Context Requestを送信する。
【００５８】
ＢＴＳ４１０は、基地局であり、配下のＭＳから無線送信されたデータを上位装置であるＲＮＣ４３０に送信する。また、ＲＮＣ４３０から受信したデータを配下のＭＳに無線送信する。
【００５９】
ＲＮＣ４３０は、無線回線制御局であり、配下のＢＴＳ４１０に対する各種制御を行うと共に、上位装置であるＳＧＳＮ４５０と通信を行う。
【００６０】
ＨＬＲ４４０は、加入者情報管理装置であり、各加入者の契約情報や端末種別などの情報を含む加入者情報が格納されている。
【００６１】
ＳＧＳＮ４５０は、パケット交換機であり、上述したページング抑止対象端末特定装置としての機能を備える。すなわち、ＳＧＳＮ４５０は、端末種別、契約情報、ネットワークの輻輳状態、装置負荷状態、ページング抑止の時間帯等、ページングを抑止すべきかを判断するための情報を内部の記憶部に記憶して管理する。
【００６２】
ＳＧＳＮ４５０内に設けられた判定部は、ＭＳ４２０のアタッチ時にＭＳ４２０より送信されたActivate PDP Context Requestを受信し、端末種別、契約情報、ネットワークの輻輳状態、装置負荷状態、時間帯等の条件に基づいて、当該ＭＳ４２０がページング抑止の対象となるＭＳであるかどうかを判定する。当該判定は、図７の処理フローに従い判定することができる。当該判定部がページング抑止の対象となる端末と判定した場合は、ＳＧＳＮ４５０内に設けられた送信部は、Create PDP Context Requestにページングを抑止すべきＭＳであることの識別子を付与してＧＧＳＮ４６０に送信する。
【００６３】
ＧＧＳＮ４６０は、上位のパケット交換機であり、上述した着信制御装置としての機能を備える。ＧＧＳＮ４６０は、ＳＧＳＮ４５０より送信されたページング抑止の対象となるＭＳを特定できる識別子を受信し、当該識別子をページング抑止対象端末情報として内部の記憶部に記憶することで保持しておく。ＧＧＳＮ４６０は、その後当該ＭＳ宛の着信があった場合に、ＨＬＲへのSend Routing Info for GPRSの送信、又は、ＳＧＳＮへのPDU Notification Requestを抑止する手段を具備する。すなわち、ＧＧＳＮ４６０内に設けられた判定部は、受信手段でパケットをネットワーク側より受信した場合に、記憶部に格納してあるページング抑止対象端末情報を参照して、当該パケットがページング抑止の対象となるＭＳ宛であるかを判定する。そしてＧＧＳＮ４６０内に設けられた着信制御部は、上記判定部でページング抑止の対象となるＭＳ宛の着信であると判定された場合には、ページング抑止を行うと判断し、ＨＬＲへのSend Routing Info for GPRSの送信やＳＧＳＮへのPDU Notification Requestを行わないことでページングを抑止する。一方、当該着信制御部は、上記判定部でページング抑止の対象ではないＭＳ宛の着信であると判定された場合には、標準的なシーケンスに従ってページング処理を進める。
【００６４】
次に、移動体通信システム４０００の動作について説明する。図９は、移動体通信システム４０００の動作の流れを示すシーケンス図である。
【００６５】
ＭＳ４２０は、通信の開始を要求する時にActivate PDP context RequestをＢＴＳ４１０及びＲＮＣ４３０を経由してＳＧＳＮ４５０に送信する（ステップＳ４０１）。ＳＧＳＮ４５０は、Activate PDP context Requestを受信すると、当該要求を出したＭＳ４２０がページング抑止の対象となる端末であるかどうかを判定する（ステップＳ４０２）。
【００６６】
ＳＧＳＮ４５０は、ステップＳ４０２の判定結果に基づいて、必要に応じてページングを抑止すべきＭＳである旨の識別子を付与してCreate PDP Context RequestをＧＧＳＮ４６０に送信する（ステップＳ４０３）。
【００６７】
ＧＧＳＮ４６０は、受信したCreate PDP Context Requestに上記識別子が付与されていた場合は、当該識別子をページング抑止対象端末情報として格納して保持し（ステップＳ４０４）、Create PDP Context ResponseをＳＧＳＮ４５０に返信する（ステップＳ４０５）。その後は、標準のシーケンス通りに接続処理が所定のプロトコルに従って進められる。このような処理が複数のＭＳとＧＧＳＮとの間で行われることで、ＧＧＳＮ４６０にページング抑止の対象となるＭＳに関する情報が蓄積されることになる。
【００６８】
次に、ＧＧＳＮ４６０が行う着信制御について説明する。図１０のシーケンス図に示すように、ＧＧＳＮ４６０は、外部ネットワークよりパケットであるPDP PDUを受信する（ステップＳ４１１）。ＧＧＳＮ４６０は、保持しているページング抑止対象端末情報を基に、ページング抑止の対象となる端末宛のパケットかどうかの判定処理を行う（ステップＳ４１２）。ＧＧＳＮ４６０は、ページング抑止対象端末に該当すると判定した場合はPDP PDUを破棄し、以降の処理は実施しない。一方、ＧＧＳＮ４６０は、ページング抑止対象端末に該当していないと判定した場合は、以降、標準シーケンスの通りに処理する。
【００６９】
以上のように、本実施の形態４に係る移動体通信システムでは、パケット交換機ＳＧＳＮが通信開始要求であるActivate PDP Context Requestを受信した場合に、当該要求元の移動局（無線通信端末）がページング抑止対象端末であるかを所定の基準に基づいて判定する。ＧＧＳＮは、ＳＧＳＮでページング抑止対象端末であると判定された移動局に関する情報であるページング抑止対象端末情報を保持しておき、パケットであるPDP PDUをネットワーク側から受信した場合に保持してあるページング抑止対象端末情報に基づいてページングを抑止するかどうかを判定する。当該構成によれば既存のＵＴＲＡＮの移動体通信システムにも大幅な変更を行うことなく着信制御機能を組み込むことが可能となる。
【００７０】
（実施の形態５）
本実施の形態５に係る移動体通信システムは、具体的にＥ-ＵＴＲＡＮ（Ｅｖｏｌｖｅｄ ＵＴＲＡＮ）方式を採用する移動体通信システムであって、実施の形態１〜３で説明したページング抑制機能を有する移動体通信システムであることを特徴とする。以下、図面を参照して本発明の実施の形態５について説明する。なお、実施の形態１〜３で説明した部分については発明の明確化のため一部説明を省略する。
【００７１】
図１１は、本実施の形態５に係る移動体通信システム５０００（Ｅ−ＵＴＲＡＮ）の構成を示すブロック図である。移動体通信システム５０００は、ｅＮＢ（Evolved Node B）５１０と、ＵＥ（User Equipment）５２０と、ＭＭＥ（Mobility Management Entity）５３０と、ＨＳＳ（Home Subscriber Server）５４０と、Ｓ−ＧＷ（Serving Gateway）５５０と、Ｐ-ＧＷ（PDN Gateway）５６０と、ＰＣＲＦ（Policy and Charging Rules Function）５７０と、を備える。
【００７２】
ＵＥ５２０は、無線通信端末である移動局であり、ｅＮＢ５１０と無線通信を行う。
【００７３】
ｅＮＢ５１０は、基地局であり、配下のＵＥから無線送信されたデータをＳ−ＧＷ５５０に送信する。また、Ｓ−ＧＷ５５０から受信したデータを配下のＵＥに無線送信する。
【００７４】
ＭＭＥ５３０は、移動管理用ノードであり、ＵＥの移動管理や認証処理、その他データ転送経路の設定処理等を行う。また、ＭＭＥ５３０は、上述したページング抑止対象端末特定装置としての機能を備え、端末種別や、契約情報、ネットワークの輻輳状態、装置負荷状態、ページング抑止の時間帯等、ページングを抑止すべきかを判断するための情報を内部の記憶部に記憶して管理する。
【００７５】
ＭＭＥ５３０内に設けられた判定部は、ＵＥ５２０のアタッチ時にＵＥ５２０より送信されたattach Requestを受信し、その後、端末種別、契約情報、ネットワークの輻輳状態、装置負荷状態、時間帯等の条件に基づいて、当該ＵＥ５２０がページング抑止の対象となるＵＥであるかどうかを判定する。当該判定は、図７の処理フローに従い判定することができる。当該判定部がページング抑止の対象となる端末と判定した場合は、ＭＭＥ５３０内に設けられた送信部は、Create Session Requestにページングを抑止すべきＭＳであることの識別子を付与してＰ−ＧＷ５６０にＳ−ＧＷ５５０経由で送信する。
【００７６】
ＨＳＳ５４０は、加入者情報管理装置であり、各加入者の契約情報や端末種別などの加入者情報が格納されている。ＨＳＳ５４０は、ＭＭＥ５３０が行う位置登録処理に従い、各ＵＥの位置を示す位置情報も合わせて格納している。
【００７７】
Ｓ−ＧＷ５５０は、ゲートウェイ装置であり、ｅＮＢ５１０とＰ−ＧＷの間に配置されてデータの伝送を行う。
【００７８】
Ｐ−ＧＷ５６０は、上位のゲートウェイ装置であり、上述した着信制御装置としての機能を備える。Ｐ−ＧＷ５６０は、ＭＭＥ５３０より送信されたページング抑止の対象となるＵＥを特定できる識別子を受信し、当該識別子をページング抑止対象端末情報として内部の記憶部に記憶して保持する。Ｐ−ＧＷ５６０は、その後当該ＵＥ宛の着信があった場合に、Ｓ-ＧＷ５５０へのDownlink Dataの送信を抑止する手段を具備する。すなわち、Ｐ−ＧＷ５６０内に設けられた判定部は、受信手段でパケットをネットワーク側より受信した場合に、記憶部に記憶してあるページング抑止対象端末情報を参照して、当該着信がページング抑止の対象となるＵＥ宛であるかを判定する。そしてＰ−ＧＷ５６０内に設けられた着信制御部は、上記判定部でページング抑止の対象となるＵＥ宛の着信であると判定された場合には、Ｓ-ＧＷ５５０へのデータの送信を行わないことでページングを抑止する。一方、当該着信制御部は、上記判定部でページング抑止の対象ではないＵＥ宛の着信であると判定された場合には、標準的なシーケンスに従ってページング処理を進める。
【００７９】
ＰＣＲＦ５７０は、加入者ポリシー/課金ルール管理装置であり、ＱｏＳなどのポリシー制御や課金制御ルールを決定する。
【００８０】
次に移動体通信システム５０００の動作について説明する。図１２は、移動体通信システム５０００の動作の流れを示すシーケンス図である。
【００８１】
ＵＥ５２０は、アタッチ時にAttach RequestをｅＮＢ５１０経由でＭＭＥ５３０に送信する（ステップＳ５０１）。その後、ＵＥ、ｅＮＢ、ＭＭＥ、ＨＳＳの間で標準的なシーケンスに従って認証処理や秘匿処理が行われる。その後ＭＭＥ５３０は、ＨＳＳ５４０に位置登録要求であるUpdate Location Requestを送信する（ステップＳ５０２）。ＨＳＳ５４０は、当該位置登録要求に基づいて当該ＵＥ５２０の位置登録更新が完了するとUpdate Location AckをＭＭＥ５３０に返信する（ステップＳ５０３）。
【００８２】
ＭＭＥ５３０は、当該Update Location Ackを受け取ると当該Attach Requestを出した当該ＵＥ５２０がページング抑止の対象となる端末であるかどうかを判定する（ステップＳ５０４）。
【００８３】
ＭＭＥ５３０は、ステップＳ５０４の判定結果に基づいて、必要に応じてページングを抑止すべきＵＥである旨の識別子を付与してCreate Session RequestをＰ−ＧＷ５６０にＳ−ＧＷ５５０経由で送信する（ステップＳ５０５）。
【００８４】
Ｐ−ＧＷ５６０は、受信したCreate Session Requestに上記識別子が付与されていた場合は、当該識別子をページング抑止対象端末情報として格納して保持し（ステップＳ５０６）、Create Session ResponseをＭＭＥ５３０にＳ−ＧＷ５５０経由で返信する（ステップＳ５０７）。その後は、標準のシーケンス通りに接続処理が所定のプロトコルに従って進められる。このような処理が複数のＵＥとＰ−ＧＷとの間で行われることで、Ｐ−ＧＷ５６０にページング抑止の対象となるＵＥに関する情報が蓄積されることになる。
【００８５】
次に、Ｐ−ＧＷ５６０が行う着信制御について説明する。図１３のシーケンス図に示すように、Ｐ−ＧＷ５６０は、外部ネットワークより下り方向のパケットであるDownlink dataを受信する（ステップＳ５１１）。Ｐ−ＧＷ５６０は、保持しているページング抑止対象端末情報を基に、ページング抑止の対象となる端末宛のDownlink Dataかどうかの判定処理を行う（ステップＳ４１２）。Ｐ−ＧＷ５６０は、ページング抑止対象端末に該当すると判定した場合は当該ダウンリンクデータを破棄し、以降の処理は実施しない。一方、Ｐ−ＧＷ５６０は、ページング抑止対象端末に該当していないと判定した場合は、以降、標準シーケンスの通りに処理する。
【００８６】
以上のように、本実施の形態５に係る移動体通信システムでは、移動管理用ノードであるＭＭＥが通信開始要求であるAttach Requestを受信した場合に、当該要求元の移動局（無線通信端末）がページング抑止対象端末であるかを所定の基準に基づいて判定する。ゲートウェイ装置であるＰ−ＧＷは、ＭＭＥでページング抑止対象端末であると判定された移動局に関する情報であるページング抑止対象端末情報を保持しておき、下り方向のパケットであるDownlink Dataをネットワーク側から受信した場合に保持してあるページング抑止対象端末情報に基づいてページングを抑止するかどうかを判定する。当該構成によれば既存のＵＴＲＡＮの移動体通信システムにも大幅な変更を行うことなくページング抑止機能を組み込むことが可能となる。
【００８７】
なお、上記説明では、位置登録処理が完了した時点（ＨＳＳ５４０からUpdate Location Ackを受け取った時点）でページング抑止対象端末かどうかの判定を行う場合について説明したが、これに限るものではない。ＭＭＥ５３０は、標準上の認証処理が必要ない場合はｅＮＢ５１０からAttach Requestを受信したタイミングでページング抑止対象端末かどうかの判定を行っても良い。
【００８８】
（実施の形態６）
実施の形態６に係る移動体通信システムは、図８に示すＵＴＲＡＮ方式を採用する移動体通信システムである。ここで、本実施の形態６では、実施の形態４と比較して、ＳＧＳＮがページング抑止対象端末であるかどうかの判定を行うタイミングを変更していることを特徴とする。すなわち、実施の形態４に係るＳＧＳＮ４５０は、ＭＳ４２０からActivate PDP Context Requestを受信した場合に、ＨＬＲ４４０より既に受信して管理している加入者情報や当該Activate PDP Context Requestに含まれるLow priority情報といった端末情報に基づいて、ＭＳ４２０がページング抑止対象端末であるかの判定を行っていた。一方、本実施の形態６に係るＳＧＳＮ４５１は、より前段階の位置登録処理の段階で当該判定を行うことを特徴としている。以下、図面を参照して本発明の実施の形態６について説明する。なお、上記各実施の形態で説明した部分については一部説明を省略する。
【００８９】
図１５は、本実施の形態６に係る移動体通信システム４０００の動作の流れを示すシーケンス図である。
【００９０】
ＳＧＳＮ４５１は、アタッチ時にＭＳ４２０より送信される位置登録要求であるAttach Requestを受信する（ステップＳ６０１）。次に、当該Attach Requestを受信したＳＧＳＮ４５１とＭＳ４２０との間で標準的なシーケンスに従って認証処理や秘匿処理が行われる。
【００９１】
当該認証処理等が成功した場合は、ＳＧＳＮ４５１は、ＨＬＲ４４０に対する位置登録要求であるUpdate Locationを送信する（ステップＳ６０２）。
【００９２】
ＨＬＲ４４０は、Update Locationに基づいて位置登録の更新処理を行い、ＳＧＳＮ４５１に加入者データ登録であるInsert Subscriber Dataを送信する（ステップＳ６０３）。
【００９３】
ＨＬＲ４４０より送信されたInsert Subscriber Dataを受信したＳＧＳＮ４５１は、当該Insert Subscriber Dataに基づいて上記位置登録要求を行うＭＳ４２０がページング抑止の対象となる端末であるかどうかの第１の判定処理を行う（ステップＳ６０４）。ＳＧＳＮ４５１は、上記判定処理により、当該ＭＳ４２０がページング抑止対象端末であると判定した場合は、当該ＭＳ４２０がページング抑止対象端末であることを示すフラグを立てて管理する。なお、当該第１の判定処理は、例えば図７に示すフローに従ってページング抑止対象端末であるかどうかを判定することができる。
【００９４】
ＳＧＳＮ４５１は、加入者データ登録を適切に受け取った事を示すInsert Subscriber Data AckをＨＬＲ４４０に送信する（ステップＳ６０５）。その後は標準通りの位置登録シーケンスに従って処理が進められることで位置登録が完了する。
【００９５】
このように位置登録処理の段階でＳＧＳＮ４５１においてページング抑止対象端末であるかの判定処理及びフラグ管理が行われた上で、ＭＳ４２０より接続要求が出された場合の動作の流れを図１６のシーケンス図を用いて説明する。
【００９６】
図１６に示すように、接続を要求するＭＳ４２０は、接続要求（通信開始要求）であるActivate PDP Context RequestをＳＧＳＮ４５１に送信する（ステップＳ６０６）。Activate PDP Context Requestを受信したＳＧＳＮ４５１は、図１５のステップＳ６０４における第１判定処理の判定結果であるフラグを参照して、当該Activate PDP Context Requestを送信したＭＳ４２０がページング抑止対象端末であるかどうかの第２の判定処理を行う（ステップＳ６０７）。すなわち、ＳＧＳＮ４５１は、受信したActivate PDP Context Requestの送信元のＭＳ４２０がページング抑止対象端末としてフラグが立てられているかを確認することでページング抑止対象端末であるかどうかを判定する。
【００９７】
ステップＳ６０７における第２の判定処理の結果、ページング抑止対象端末であると判定された場合は、Create PDP Context Requestにページング抑止対象端末であることを示す識別子を付与して（含めて）上位装置であるＧＧＳＮ４６０に送信する（ステップＳ６０８）。一方、ステップＳ６０７における判定処理の結果、ページング抑止対象端末ではないと判定された場合は、ページング抑止対象端末であることを示す識別子を付与せずに（含めずに）通常のCreate PDP Context Requestを上位装置であるＧＧＳＮ４６０に送信する。
【００９８】
上記Create PDP Context Requestを受信したＧＧＳＮ４６０は、ページング抑止対象端末であることを示す識別子が付与されている場合は、当該Create PDP Context Requestに係るＭＳ４２０を識別する識別子をページング抑止対象端末情報として保持する（ステップＳ６０９）。その後は、標準のシーケンスに従って接続処理が進められる。
【００９９】
なお、上記ステップＳ６０１〜ステップＳ６０９の処理により、ＧＧＳＮ４６０がページング抑止対象端末情報を格納した後に、外部ネットワークからPDP PDUをＧＧＳＮ４６０が受信した後の処理は図１０と同一であるため説明を省略する。
【０１００】
図１７は、ＳＧＳＮ４５１の構成を示すブロック図である。ＳＧＳＮ４５１は、受信部６１０と、ページング抑止対象端末判定部６２０と、通知情報生成部６３０と、送信部６４０と、ページング抑止対象端末フラグ記憶部６５０と、を備える。なお、ページング抑止対象端末判定部６２０は、第１判定処理と第２判定処理の２度の判定処理を行う。
【０１０１】
受信部６１０は、図５に示す通信開始要求受信部２１０に対応する。具体的には、受信部６１０は、ＭＳ４２０よりAttach RequestとActivate PDP Context Requestとを受信する。また、受信部６１０は、ＨＬＲ４４０より、Insert Subscriber Dataを受信する。受信部６１０は、受信したAttach Requestを通知情報生成部６３０へ、また、Activate PDP Context RequestとInsert Subscriber Dataとをページング抑止対象端末判定部６２０にそれぞれ送る。
【０１０２】
ページング抑止対象端末判定部６２０は、ＭＳ４２０がページング抑止の対象となる端末かどうかを判定する。具体的には、ページング抑止対象端末判定部６２０は、受信部６１０で受信されたInsert Subscriber Dataに基づいて、当該Insert Subscriber Dataに係るＭＳ４２０がページング抑止の対象となる端末かどうかの第１の判定処理を行う。
【０１０３】
Insert Subscriber Dataには、ＭＳ４２０を識別する識別子であるＩＭＳＩ（(International Mobile Subscriber Identity）情報や加入者情報が含まれる。従って、ページング抑止対象端末判定部６２０は、当該Insert Subscriber Dataに含まれるＩＭＳＩ情報で特定されるＭＳ４２０がページング抑止の対象となる端末かを当該加入者情報を用いて判定する。なお、ページング抑止対象端末判定部６２０は、図７で示したようにネットワークの輻輳状態や現在の時刻がページング抑止対象時間であるか、また、当該ＭＳ４２０がページング抑止対象となる端末種別であるかについても上記判定の基準として用いることができる。
【０１０４】
ページング抑止対象端末判定部６２０は、当該第１の判定処理の結果、当該ＭＳ４２０がページング抑止対象端末であると判定した場合は、ページング抑止対象端末フラグ記憶部６５０に、当該ＭＳ４２０がページング抑止対象端末である事を示すフラグを記憶する。なお、当該記憶方法としては、ページング抑止対象端末のリストをページング抑止対象端末フラグ記憶部６５０に記憶する構成であっても良い。ページング抑止対象端末判定部６２０は、第１判定処理においてページング抑止対象端末と判定したページング抑止対象端末を当該ページング抑止対象端末リストに追加し、当該リストをページング抑止対象端末フラグ記憶部６５０に記憶する構成としても良い。
【０１０５】
また、ページング抑止対象端末判定部６２０は、受信部６１０で受信されたActivate PDP Context Requestに基づいて、当該Activate PDP Context Requestに係るＭＳ４２０がページング抑止の対象となる端末かどうかの第２の判定処理を行う。
【０１０６】
具体的には、ページング抑止対象端末判定部６２０は、当該Activate PDP Context Requestの送信元であるＭＳ４２０が、ページング抑止対象端末であるとしてページング抑止対象端末フラグ記憶部６５０に記憶されているかどうかを確認する。当該確認の結果、ページング抑止対象端末であるとするフラグが立っている場合は、ページング抑止対象端末判定部６２０は、当該ＭＳ４２０をページング抑止対象端末であると判定する。一方、フラグが立っていなければ当該ＭＳ４２０をページング抑止対象端末ではないと判定する。
【０１０７】
通知情報生成部６３０及び送信部６４０は、それぞれ図５のページング抑止対象端末情報通知部２３０に対応する。通知情報生成部６３０は、受信部６１０又はページング抑止対象端末判定部６２０よりそれぞれ送られてくるAttach Request、Insert Subscriber Data、Activate PDP Context Request、に基づいてUpdate Location、Insert Subscriber Data Ack、Create PDP Context Requestをそれぞれ生成する。
【０１０８】
ここで、通知情報生成部６３０は、Activate PDP Context Requestに基づいてページング抑止対象端末であると上記第１判定処理で判定された場合は、ページング抑止対象端末であることを示す識別子を付与してCreate PDP Context Requestを生成する。
【０１０９】
送信部６４０は、通知情報生成部６３０で生成されたUpdate Location、Insert Subscriber Data Ack、をＨＬＲ４４０に送信する。また、送信部６４０は、通知情報生成部６３０で生成されたPDPコンテキスト作成要求であるCreate PDP Context RequestをＧＧＳＮ４６０にそれぞれ送信する。
【０１１０】
このようにActivate PDP Context Requestの送信元のＭＳ４２０がページング抑止対象端末として判定された場合は、当該Activate PDP Context Request に基づいて生成されるCreate PDP Context Requestにページング抑止対象端末であることを示す識別子が付与されて送信される。従って、ＧＧＳＮ４６０は、受信したCreate PDP Context Requestに当該識別子が付与されている場合は、当該Create PDP Context Requestに係るＭＳ４２０を識別する識別子をページング抑止対象端末情報として格納することが可能となる。例えば、Create PDP Context Requestには、当該ＭＳ４２０を識別する識別子であるＭＳＩＳＤＮ（Mobile Subscriber Integrated Services Digital Network Number）が含まれるため、当該ＭＳＩＳＤＮをページング抑止対象端末情報として記憶することができる。
【０１１１】
以上のように、本実施の形態６に係るＳＧＳＮ（加入者パケット交換機）は、位置登録処理内で当該位置登録を要求するＭＳ（移動局）がページング抑止対象端末かどうかの第１の判定処理を行い、ページング抑止対象端末であるかどうかを記憶しておく。そして、ＭＳからの接続要求を受信した場合に、当該ＭＳがページング抑止対象端末として記憶されているかを確認することで当該ＭＳがページング抑止対象端末であるかどうかの第２の判定処理を行う。ページング抑止対象端末として記憶されている場合は、ＭＳからの接続要求を上位装置に通知すると共に当該ＭＳがページング抑止対象端末であることを合せて通知する。
【０１１２】
このように構成することで、接続要求に基づいて行う第２の判定処理は、ページング抑止対象端末として記憶されているかどうかを確認する処理で済むため、比較的短い時間で上位装置に接続要求であるCreate PDP Context Requestを送信できる。従って、接続要求から接続完了までの時間を短縮しつつ、ページング抑止を行うことが可能となる。
【０１１３】
なお、上記説明では、ＳＧＳＮ４５１は、ＨＬＲ４４０よりInsert Subscriber Dataを受信した段階で、ページング抑止対象端末であるかどうかの判定を行う場合について説明したがこれに限定されるものではない。例えば、ＳＧＳＮ４５１は、図１５におけるステップＳ６０１でＭＳ４２０からAttach Requestを受信した段階で、上記判定を行っても良い。すなわち、ページング抑止対象端末判定部６２０は、受信部６１０で受信されたAttach Requestに基づいて当該Attach Requestの送信元のＭＳ４２０がページング抑止対象端末であるかどうかの第１の判定処理を行っても良い。但し、この段階では、ＳＧＳＮ４５１は、ＨＬＲ４４０より加入者情報を受け取っていないため、ネットワークの輻輳状況やAttach Requestに含まれる各種情報等を参照して、ページング抑止対象端末であるかどうかを判定する。このように、位置登録処理におけるより早い段階でページング抑止対象端末であるかどうかの判定処理を行う構成であっても良い。
【０１１４】
（実施の形態７）
実施の形態７に係る移動体通信システムは、実施の形態６と比較して、ＳＧＳＮがページング抑止対象端末であるかどうかの判定処理に加えて、ページング抑止処理も行うことを特徴とする。すなわち、ＳＧＳＮは、実施の形態１のページング着信制御装置としての機能と実施の形態２のページング抑止対象端末特定装置としての機能の両方を併せ持つ。以下、図面を参照して説明する。但し、上記各実施の形態で既に説明した部分については一部説明を省略する。
【０１１５】
図１８は、本実施の形態７に係るＳＧＳＮ４５２の構成を示すブロック図である。ＳＧＳＮ４５２は、受信部７１０と、ページング抑止対象端末判定部７２０と、ページング抑止対象端末情報保持部７３０と、ページング抑止要否判断部７４０と、通知情報生成部７５０と、送信部７６０と、を備える。
【０１１６】
受信部７１０は、ＭＳ４２０よりAttach RequestとActivate PDP Context Requestとを受信する。また、受信部７１０は、ＨＬＲ４４０より、Insert Subscriber Dataを受信する。また、受信部７１０は、ＧＧＳＮ４６０より、ＭＳ４２０を探し出してＭＳ４２０とＧＧＳＮ４６０とのＰＤＰコンテキストを有効化する要求であるPDU Notification Requestを受信する。
【０１１７】
ページング抑止対象端末判定部７２０は、受信部７１０で受信されたInsert Subscriber Dataに基づいて当該Insert Subscriber Dataに係るＭＳ４２０がページング抑止対象端末かどうかを判定する。ページング抑止対象端末判定部７２０は、判定の結果、当該Insert Subscriber Dataで示されるＭＳ４２０がページング抑止対象端末であると判定した場合は、当該ＭＳ４２０を識別する識別子をページング抑止対象端末情報としてページング抑止対象端末情報保持部７３０に格納する。
【０１１８】
ページング抑止対象端末情報保持部７３０は、ページング抑止対象端末判定部７２０でページング抑止対象端末として判定されたＭＳ４２０を識別する識別子をページング抑止対象端末情報として保持する。
【０１１９】
ページング抑止要否判断部７４０は、受信部７１０で受信されたPDU Notification Requestで指定されるＭＳ４２０に対する着信制御を行うかどうかを判断する。具体的には、ページング抑止要否判断部７４０は、当該PDU Notification Requestで指定されるＭＳ４２０を特定する識別子が、ページング抑止対象端末情報保持部７３０にページング抑止対象端末情報として記憶されている場合は、ページングを抑止すると判断する。
【０１２０】
通知情報生成部７５０は、受信部７１０より送られてくるAttach Request、Activate PDP Context Request、Insert Subscriber Dataに基づいて、それぞれUpdate Location、Create PDP Context Request、Insert Subscriber Data Ackを生成する。また、通知情報生成部７５０は、ページング抑止要否判断部７４０における判断結果に基づいて、PDU Notification Responseを生成する。
【０１２１】
ここで、PDU Notification ResponseはＭＳ４２０を探し出してＭＳ４２０とＧＧＳＮ４６０とのＰＤＰコンテキストを有効化する要求に対する可否の応答であり、当該可否の結果である結果情報と有効化できない場合の原因に関する情報とを含む。通知情報生成部７５０は、ページング抑止要否判断部７４０における上記判断の結果、通知されたPDU Notification Requestで指定されるＭＳ４２０に対して着信制御を行う、すなわち、ページングを抑止すると判断した場合は、ページングを行わない事を示す情報を含めてPDU Notification Responseを生成する。
【０１２２】
送信部７６０は、通知情報生成部７５０で生成されたUpdate Location、Insert Subscriber Data Ack、Create PDP Context Request、PDU Notification ResponseをそれぞれＨＬＲ４４０とＧＧＳＮ４６０へ送信する。
【０１２３】
次に、本実施の形態７に係る移動体通信システムの動作について説明する。図１９は、アタッチ時の位置登録処理の流れを示すシーケンス図である。なお、ステップＳ７０４以外は図１５に示す位置登録処理の流れと同一であるため説明を省略する。
【０１２４】
ステップＳ７０４において、ＳＧＳＮ４５２は、ＨＬＲ４４０より送信されたInsert Subscriber Dataで特定されるＭＳ４２０がページング抑止対象端末であるかどうかの判定処理を行う。ここで、ページング抑止対象端末であると判定した場合は、ＳＧＳＮ４５２は内部の保持部に当該ＭＳ４２０を識別する識別子をページング抑止対象端末情報として格納する。
【０１２５】
次に、ネットワーク側よりパケットが送信されてくる場合の動作の流れについて図２０のシーケンス図を用いて説明する。
【０１２６】
ＧＧＳＮ４６０は、外部ネットワークからＭＳ宛に送られるユーザデータパケットであるPDP PDUを受信すると（ステップＳ７１１）、ＨＬＲ４４０にSend Routing Info For GPRSを送信することで、当該パケット着信に係るＭＳの在圏位置を問い合わせる（ステップＳ７１２）。
【０１２７】
ＧＧＳＮ４６０は、ＨＬＲ４４０より、Send Routing Info For GPRS Ackを受け取り（ステップＳ７１３）、当該応答が示すＳＧＳＮに対してPDU Notification Requestを送信する（ステップＳ７１４）。
【０１２８】
ＧＧＳＮ４６０よりPDU Notification Requestを受け取ったＳＧＳＮ４５２は、当該要求で指定されるＭＳに対するページングを抑止するかを判断する（ステップＳ７１５）。すなわち、当該PDU Notification Requestで指定されるＭＳの識別子が、図１９のステップＳ７０４においてページング抑止対象端末として判定されて、ページング抑止対象端末情報として記憶されているかを確認する。当該確認の結果、ページング抑止対象端末情報として記憶されていれば、ページング抑止を行うと判断する。
【０１２９】
ＳＧＳＮ４５２は、ＧＧＳＮ４６０にPDU Notification Responseを送信する（ステップＳ７１６）。ここで、ＳＧＳＮ４５２は、ステップＳ７１５においてページング抑止を行うと判断した場合は、当該PDU Notification Responseにページング抑止を行う事を示す情報を含めて応答する。
【０１３０】
PDU Notification Response送信後は、標準のシーケンスに従ってページング処理が進められる。但し、ＳＧＳＮ４５２がページング抑止を行うと判断し、ページング抑止を行う事を示す情報を含めて当該PDU Notification ResponseをＧＧＳＮ４６０に送信した場合は、その後の処理は行われない。すなわち、ＳＧＳＮ４５２は、ＭＳ４２０に対してPDPコンテキストを起動することを要求するRequest PDP Context Activationを送信せずに処理を終了する。
【０１３１】
以上のように、本実施の形態７に係るＳＧＳＮは、ページング抑止対象端末であるかどうかの判定処理を行い、ページング抑止対象端末情報を自ら保持しておく。そして、上位装置よりPDU Notification Requestを受信した場合に、当該保持したページング抑止対象端末情報を参照してページングを抑止するかどうかを自ら判断する。
【０１３２】
このように構成することで、既存のパケット交換機であるＧＧＳＮ４６０をそのまま利用しつつページング抑止機能をネットワークに組み込むことが可能となる。
【０１３３】
また、ＧＧＳＮ４６０でページング抑止を行う場合には、例えばネットワーク輻輳時に、ローミング等で他の通信キャリアのＧＧＳＮ４６０からＳＧＳＮ４５０に接続されてくるページングを抑止することができない。一方、上記説明したように、ＳＧＳＮ４５２でページングを抑止する構成とすることで、他のＧＧＳＮ４６０から不要なページングが発生して移動機−基地局間の輻輳を助長することを防止することが可能となる。
【０１３４】
なお、上記説明では、ＳＧＳＮ４５２は、Insert Subscriber dataを受信したタイミングで当該Insert Subscriber dataで指定されるＭＳがページング抑止対象端末であるかどうかの判定を行う場合について説明したがこれに限定されるものではない。上記他の実施の形態と同様、Attach Requestを受信した場合に、当該Attach Requestの送信元のＭＳについて判定を行っても良いし、Activate PDP Context Requestを受信した時点で、当該Activate PDP Context Requestの送信元のＭＳについて判定を行っても良い。
【０１３５】
（実施の形態８）
実施の形態８に係る移動体通信システムは、図１１に示すＥ-ＵＴＲＡＮ方式を採用する移動体通信システムである。ここで、本実施の形態８では、実施の形態５と比較して、Serving Gatewayがページング抑止の判断を行うことを特徴とする。本実施の形態８に係るページング抑止機能を有するServing GatewayをＳ−ＧＷ５５１として、以下、図面を参照して本発明の実施の形態８について説明する。なお、上記各実施の形態で説明した部分については発明の明確化のため一部説明を省略する。
【０１３６】
図２１は、本実施の形態８に係る移動体通信システムに係るアタッチ時の動作を示すシーケンス図である。なお、ステップＳ８０１〜ステップＳ８０４は、図１２に示すステップＳ５０１〜ステップＳ５０４と同一であるため説明を省略する。
【０１３７】
ＭＭＥ５３０は、ステップＳ８０４の判定処理により、ページング抑止対象端末と判定した場合には、ページングを抑止すべきＵＥである旨の識別子を付与した上でCreate Session Requestを作成し、Ｓ−ＧＷ５５１に送信する（ステップＳ８０５）。
【０１３８】
当該Create Session Requestは、ＭＭＥ５３０がＳ−ＧＷ５５１からＰ−ＧＷ５６０までのセッションを作成してもらう要求である。Ｓ−ＧＷ５５１は、ＭＭＥ５３０より受信したCreate Session Requestにページングを抑止すべきＵＥである旨の識別子が付与されている場合は、当該Create Session Requestに係るＵＥ５２０を識別する識別子をページング抑止対象端末情報として内部の保持部に格納する（ステップＳ８０６）。
【０１３９】
続いて、Ｓ−ＧＷ５５１は、上記Create Session Requestを上位装置であって外部ネットワークと接続するパケット交換機であるＰ−ＧＷ５６０に対して送信する（ステップＳ８０７）。Ｐ−ＧＷ５６０は、Create Session ResponseをＳ−ＧＷ５５１に送信することで応答する（ステップＳ８０８）。
【０１４０】
Ｓ−ＧＷ５５１は、Ｐ−ＧＷ５６０からCreate Session Responseを受信し、ＭＭＥ５３０に当該Create Session Responseを送信する（ステップＳ８０９）。その後は、標準的な処理シーケンスに従って処理が行われ、位置登録が完了する。
【０１４１】
次に、ネットワークからパケットが受信された場合のページング抑止処理について図２２のシーケンス図を用いて説明する。
【０１４２】
Ｐ−ＧＷ５６０は、外部ネットワークからＵＥ宛に送られるユーザデータパケットであるDownlink Dataを受信し（ステップＳ８１１）、Ｓ−ＧＷ５５１に当該Downlink Dataを送信する（ステップＳ８１２）。当該Downlink Dataを受信したＳ−ＧＷ５５１は、当該Downlink Dataに基づいてページング抑止を行うかどうかを判定する（ステップＳ８１３）。
【０１４３】
具体的には、Ｓ−ＧＷ５５１は、着信パケットであるDownlink Dataの宛先であるＵＥ５２０を特定する識別子がページング抑止対象端末情報として内部の保持部に記憶されているかを確認する。
【０１４４】
確認の結果、Downlink Dataの宛先であるＵＥ５２０を特定する識別子がページング抑止対象端末情報として記憶されている場合は、Ｓ−ＧＷ５５１は、当該ＵＥ５２０に対するページングを抑止すると判断し、その後の処理を停止する。一方、Ｓ−ＧＷ５５１は、Downlink Dataの宛先であるＵＥ５２０を特定する識別子がページング抑止対象端末情報として記憶されていない場合は、標準シーケンスに従ってＵＥ５２０に対してページングを行う。
【０１４５】
図２３は、本実施の形態８に係るＳ−ＧＷ５５１の構成を示すブロック図である。Ｓ−ＧＷ５５１は、受信部８１０と、ページング抑止対象端末判定部８２０と、ページング抑止対象端末情報保持部８３０と、ページング抑止要否判断部８４０と、通知情報生成部８５０と、送信部８６０と、を備える。
【０１４６】
受信部８１０は、ＭＭＥ５３０とＰ−ＧＷ５６０とからそれぞれCreate Session Request、Downlink Data Notification Ack、Create Session Response、Downlink Dataを受信する。
【０１４７】
ページング抑止対象端末判定部８２０は、受信されたCreate Session Requestに係るＵＥがページング抑止対象端末であるかどうかを判定する。具体的には、ページング抑止対象端末判定部８２０は、受信されたCreate Session Requestにページングを抑止すべきＵＥである旨の識別子が付与されている場合は、当該ＵＥをページング抑止対象端末であると判定する。
【０１４８】
ページング抑止対象端末情報保持部８３０は、ページング抑止対象端末判定部８２０でページング抑止対象端末と判定された場合に、上記ＵＥを特定する識別子をページング抑止対象端末情報として保持する。
【０１４９】
ページング抑止要否判断部８４０は、受信部８１０で受信されたDownlink Dataに基づいてページングを抑止するかを判定する。具体的には、当該Downlink Dataの宛先のＵＥを特定する識別子が、ページング抑止対象端末情報としてページング抑止対象端末情報保持部８３０に記憶されている場合は、ページングを抑止すると判断する。
【０１５０】
通知情報生成部８５０は、受信部８１０より受け取ったCreate Session Responseに基づいてＭＭＥ５３０宛てのCreate Session Responseを生成する。また、通知情報生成部８５０は、ページング抑止対象端末判定部８２０より受け取ったCreate Session Requestに基づいてＰ−ＧＷ５６０宛てのCreate Session Requestを生成する。また、通知情報生成部８５０は、ページング抑止要否判断部８４０における判断結果に基づいてＭＭＥ５３０宛てのDownlink data Notificationを生成する。但し、上記判断の結果、ページング抑止要否判断部８４０がページングを抑止すると判断した場合は、当該Downlink Data Notificationは生成されない。
【０１５１】
送信部８６０は、上記通知情報生成部８５０で生成された各情報を該当するノードに送信する。
【０１５２】
以上のように本実施の形態８に係る移動体通信システムでは、Ｓ−ＧＷがページング抑止を行うかどうかを判断する。当該構成とすることで、例えばローミングで他の通信キャリアのＰ−ＧＷ５６０から接続されて発生するページングについても抑止することが可能となる。
【０１５３】
（実施の形態９）
実施の形態９に係る移動体通信システムは、図１１に示すＥ-ＵＴＲＡＮ方式を採用する移動体通信システムである。ここで、本実施の形態９では、実施の形態８と比較して、Mobility Management Entityがページング抑止の判断を行うことを特徴とする。本実施の形態９に係るページング抑止機能を有するMobility Management EntityをＭＭＥ５３１として、以下、図面を参照して本発明の実施の形態９について説明する。なお、上記各実施の形態で説明した部分については発明の明確化のため一部説明を省略する。
【０１５４】
図２４は、本実施の形態９に係る移動体通信システムに係るアタッチ時の動作を示すシーケンス図である。なお、ステップＳ９０１〜ステップＳ９０３は、図１２に示すステップＳ５０１〜ステップＳ５０３と同一であるため説明を省略する。
【０１５５】
ＭＭＥ５３１は、ＨＳＳ５４０よりUpdate Location Ackを受信した後、当該位置登録を行うＵＥ５２０がページング抑止対象端末であるかを判定する（ステップＳ９０４）。ページング抑止対象端末であると判定した場合は、当該位置登録に係るＵＥ５２０を識別する識別子をページング抑止対象端末情報として内部の保持部に格納する。
【０１５６】
その後、ＭＭＥ５３１は、新たなデータパスの生成要求であるCreate Session RequestをＳ−ＧＷ５５０経由でＰ−ＧＷ５６０へ送信し（ステップＳ９０５）、Create Session Responseを受信する（ステップＳ９０６）。その後は、標準シーケンスに従って位置登録処理が完了する。
【０１５７】
図２５は、外部ネットワークよりDownlink Dataを受信した場合の処理の流れを示すシーケンス図である。
【０１５８】
Ｐ−ＧＷ５６０は、外部ネットワークよりDownlink Dataを受信すると（ステップＳ９１１）、下位装置であるＳ−ＧＷ５５０に当該Downlink Dataを送信する（ステップＳ９１２）。
【０１５９】
Downlink Dataを受信したＳ−ＧＷ５５０は、ＭＭＥ５３１に、Downlink Data Notificationを送信する（ステップＳ９１３）。
【０１６０】
当該Downlink Data Notificationを受信したＭＭＥ５３１は、内部に保持しているページング抑止対象端末情報を参照してページング抑止を行うかを判定する（ステップＳ９１４）。具体的には、Downlink Data Notificationで識別されるＵＥの識別子が、ページング抑止対象端末情報として記憶されている場合は、ページングを抑止すると判断する。
【０１６１】
ＭＭＥ５３１は、ページングを抑止する場合は、Downlink Data Notificationにページング抑止を行う事を示す情報をDownlink Data Notification Ackに含めてＳ−ＧＷ５５０に送信し、その後のページング処理を実施しない（ステップＳ９１５）。一方、ページングを抑止しない場合は、標準通りのDownlink Data Notification AckをＳ−ＧＷ５５０に送信し、標準シーケンスに従ってページングが行われる。
【０１６２】
次に、本実施の形態９に係るＭＭＥ５３１の構成について説明する。ＭＭＥ５３１のブロック構成は、図１８に示すＳＧＳＮ４５２のブロック構成と同様であるため、図１８を援用して説明する。
【０１６３】
ＭＭＥ５３１において、受信部７１０は、ＵＥ５２０、ＨＳＳ５４０、Ｓ−ＧＷ５５０より、それぞれAttach Request、Update Location Ack、Create Session Response、Downlink data Notification等を受信する。
【０１６４】
ページング抑止対象端末判定部７２０は、受信部７１０で受信されたUpdate Location Ackで識別されるＵＥ５２０がページング抑止対象端末であるかを判定する。なお、当該判定方法は、図７のフローに従って行うことができる。ページング抑止対象端末判定部７２０は、上記Update Location Ackで識別されるＵＥ５２０をページング抑止対象端末であると判定した場合は、当該ＵＥ５２０を識別する識別子をページング抑止対象端末情報としてページング抑止対象端末情報保持部７３０に格納する。
【０１６５】
ページング抑止要否判断部７４０は、受信部７１０で受信されたdownlink data Notificationに基づいてページングを抑止するかを判断する。具体的には、当該downlink data Notificationに係るＵＥ５２０を特定する識別子が、ページング抑止対象端末情報として記憶されている場合は、ページングを抑止すると判断する。
【０１６６】
通知情報生成部７５０は、Update Location Request、Create Session Request、Downlink data Notification Ackをそれぞれ生成する。ここで、ページング抑止要否判断部７４０でページングを抑止すると判断された場合は、ページングを抑止する内容を含めてDownlink data Notification Ackを生成する。
【０１６７】
送信部７６０は、生成されたUpdate Location Request、Create Session Request、Downlink data Notification Ackをそれぞれ該当するノードに送信する。
【０１６８】
以上のように、本実施の形態９に係るＭＭＥは、ページング抑止対象端末を判定する機能と、ページングを抑止する機能の両方を兼ね備える。ＭＭＥ５３１は、ＨＳＳ５４０より受け取った加入者情報の記憶及び管理する機能を有するモビリティマネージメントを行うノードである。従って、ＭＭＥ５３１が、既存の加入者情報に加えてページング抑止対象端末情報を合せて管理するとネットワーク設計を大幅に変更することなくページング抑止機能を実現できるため好ましい。すなわち、Ｓ−ＧＷ５５０やＰ−ＧＷ５６０に特段の設計変更を加えることなく、ページング抑止機能を実現することが可能となる。
【０１６９】
なお、本実施の形態９に係るＭＭＥ５３１においても、ページング抑止対象端末であるかどうかの判定をAttach Request受信時に行うよう構成しても良い。すなわち、ページング抑止対象端末判定部７２０は、位置登録要求であるAttach Requestの送信元のＵＥ５２０がページング抑止対象端末であるかを輻輳状態や端末種別等に基づいて判定する構成とすることが可能である。
【０１７０】
（実施の形態１０）
実施の形態１０に係る移動体通信システムは、図８に示すＵＴＲＡＮ方式を採用する移動体通信システムと図１１に示すＥ-ＵＴＲＡＮ方式を採用する移動体通信システムとが混在した移動体通信システムである。当該移動体通信システムにおいてＳＧＳＮ４５２とＭＭＥ５３１とが相互に接続されている。ここで、本実施の形態１０では、ＳＧＳＮ４５２とＭＭＥ５３１との間でページング抑止の対象となる端末に関する情報を共有することを特徴とする。以下、図面を参照して本発明の実施の形態１０について説明する。なお、上記各実施の形態で説明した部分については発明の明確化のため一部説明を省略する。
【０１７１】
本実施の形態１０に係るＳＧＳＮ４５２又はＭＭＥ５３１のブロック構成は、共に図１８に示すブロック構成と同様であるため、図１８を援用して説明する。
【０１７２】
本実施の形態１０に係るＳＧＳＮ４５２は、実施の形態７で説明した図１９のフローに従い、ページング抑止対象端末情報保持部７３０にページングを抑止する無線通信端末を識別する識別子をページング抑止対象端末情報として格納する。
【０１７３】
また、本実施の形態１０に係るＭＭＥ５３１は、実施の形態９で説明した図２４のフローに従い、ページング抑止対象端末情報保持部７３０にページングを抑止する無線通信端末を識別する識別子をページング抑止対象端末情報として格納する。
【０１７４】
図２６は、無線通信端末（ＭＳ／ＵＥ）よりＳＧＳＮ４５２に端末位置情報更新要求であるRAU Requestが送信される場合における処理の流れを示すシーケンス図である。
【０１７５】
ＳＧＳＮ４５２は、無線通信端末より端末位置情報更新要求であるRAU Requestを受信する（ステップＳ１００１）。当該RAU Requestを受信したＳＧＳＮ４５２は、ＭＭＥ５３１に対してContext Requestを送信する（ステップＳ１００２）。
【０１７６】
ここで、当該Context Requestは、ＳＧＳＮ４５２からＭＭＥ５３１に対する加入者情報の要求であり、以前使用していた加入者識別子が含まれる。ＭＭＥ５３１において、受信部７１０がContext RequestをＳＧＳＮ４５２より受信した場合、ページング抑止対象端末判定部７２０は、当該Context Requestに係る無線通信端末がページング抑止の対象であるかを判定する（ステップＳ１００３）。
【０１７７】
具体的には、当該Context Requestが、ページング抑止対象端末情報として記憶されている識別子に該当した無線通信端末宛てのContext Requestである場合は、当該無線通信端末をページング抑止対象であると判定する。
【０１７８】
ＭＭＥ５３１における通知情報生成部７５０は、ページング抑止対象端末判定部においてページング抑止の対象となる無線通信端末宛てのContext Requestであると判定された場合は、ページング抑止対象端末であることを示す情報と合わせてContext Responseを生成する。
【０１７９】
ＭＭＥ５３１における送信部７６０は、生成されたContext ResponseをＳＧＳＮ４５２に送信することで、当該Context Requestに係る無線通信端末がページング抑止の対象となる端末であることをＳＧＳＮ４５２に通知する（ステップＳ１００４）。
【０１８０】
ＳＧＳＮ４５２は、ＭＭＥ５３１より、ページング抑止の対象となる無線通信端末宛てであることを示す情報を含むContext Responseを受信した場合は、内部のページング抑止対象端末情報保持部７３０に、当該無線通信端末を識別する識別子をページング抑止対象端末情報として記憶する（ステップＳ１００５）。
【０１８１】
以上の処理により、ＭＭＥ５３１で記憶管理されているページング抑止対象端末に関する情報がContext Responseと共にＳＧＳＮ４５２に送信されることでＭＭＥ５３１とＳＧＳＮ４５２との間でページング抑止対象端末情報の共有化が達成される。
【０１８２】
図２７は、無線通信端末（ＭＳ／ＵＥ）よりＭＭＥ５３１に端末位置情報更新要求であるTAU Requestが送信される場合における処理の流れを示すシーケンス図である。
【０１８３】
ＭＭＥ５３１は、無線通信端末より端末位置情報更新要求であるTAU Requestを受信する（ステップＳ１１０１）。当該TAU Requestを受信したＭＭＥ５３１は、ＳＧＳＮ４５２に対してContext Requestを送信する（ステップＳ１１０２）。
【０１８４】
ここで、当該Context Requestは、ＭＭＥ５３１からＳＧＳＮ４５２に対する加入者情報の要求であり、以前使用していた加入者識別子が含まれる。ＳＧＳＮ４５２において、受信部７１０がContext RequestをＭＭＥ５３１より受信した場合、ページング抑止対象端末判定部７２０は、当該Context Requestに係る無線通信端末がページング抑止の対象であるかを判定する（ステップＳ１１０３）。
【０１８５】
具体的には、当該Context Requestが、ページング抑止対象端末情報として記憶されている識別子に該当した無線通信端末宛てのContext Requestである場合は、当該無線通信端末をページング抑止対象であると判定する。
【０１８６】
ＳＧＳＮ４５２における通知情報生成部７５０は、ページング抑止対象端末判定部においてページング抑止の対象となる無線通信端末宛てのContext Requestであると判定された場合は、ページング抑止対象端末であることを示す情報と合わせてContext Responseを生成する。
【０１８７】
ＳＧＳＮ４５２における送信部７６０は、生成されたContext ResponseをＭＭＥ５３１に送信することで、当該Context Requestに係る無線通信端末がページング抑止の対象となる端末であることをＭＭＥ５３１に通知する（ステップＳ１１０４）。
【０１８８】
ＭＭＥ５３１は、ＳＧＳＮ４５２より、ページング抑止の対象となる無線通信端末宛てであることを示す情報を含むContext Responseを受信した場合は、内部のページング抑止対象端末情報保持部７３０に、当該無線通信端末を識別する識別子をページング抑止対象端末情報として記憶する（ステップＳ１１０５）。
【０１８９】
以上の処理により、図２６と同様、ＳＧＳＮ４５２で記憶管理されているページング抑止対象端末に関する情報がContext Responseと共にＭＭＥ５３１に送信されることでＳＧＳＮ４５２とＭＭＥ５３１との間でページング抑止対象端末情報の共有化が達成される。
【０１９０】
次に、ＳＧＳＮ４５２とＭＭＥ５３１との間でページング抑止対象端末情報の共有化が行われている状態において、外部ネットワーク側よりＰ−ＧＷ５６０がパケット着信であるDownlink Dataを受信した場合の動作の流れについて図２８のシーケンス図を用いて説明する。
【０１９１】
Ｐ−ＧＷ５６０は、外部ネットワークよりDownlink dataを受信すると（ステップＳ１２０１）、該当するＳ−ＧＷ５５０に当該Downlink dataを送信する（ステップＳ１２０２）。
【０１９２】
Ｓ−ＧＷ５５０は、ＭＭＥ５３１とＳＧＳＮ４５２にそれぞれDownlink Data Notificationを送信する（ステップＳ１２０３、ステップＳ１２０６）。
【０１９３】
Downlink Data Notificationを受信したＭＭＥ５３１は、ページング抑止を行うかの判定処理を行う（ステップＳ１２０４）。ページングを抑止すると判断した場合は、ＭＭＥ５３１は、ページングを抑止することを示す情報を含めてDownlink Data Notification AckをＳ−ＧＷ５５０に送信する（ステップＳ１２０５）。
【０１９４】
同様に、Downlink Data Notificationを受信したＳＧＳＮ４５２は、ページング抑止を行うかの判定処理を行う（ステップＳ１２０７）。ページングを抑止すると判断した場合は、ＳＧＳＮ４５２は、ページングを抑止することを示す情報を含めてDownlink Data Notification AckをＳ−ＧＷ５５０に送信する（ステップＳ１２０８）。
【０１９５】
以上のように、本実施の形態１０に係る移動体通信システムはＵＴＲＡＮとＥ−ＵＴＲＡＮが混在する移動体通信システムである。ここで、ＭＭＥ５３１とＳＧＳＮ４５２との間でページング抑止対象端末情報をContext Responseに含めてお互い通知する構成とすることで、ページング抑止対象端末情報の共有化を図ることができる。
【０１９６】
なお、上記ステップＳ１２０４又はステップＳ１２０７においてＭＭＥ５３１又はＳＧＳＮ４５２がページング抑止を行った後に再度発生するページング抑止処理についてはＳ−ＧＷ５５０が行う構成としても良い。この場合、Ｓ−ＧＷ５５０は、ステップＳ１２０５又はステップＳ１２０８においてＭＭＥ５３１又はＳＧＳＮ４５２より受け取った前記ページングを抑止することを示す情報を含むDownlink Data Notification Ackに基づいて、当該ページングに係る端末がページング抑止対象であることを特定し、当該端末を識別する情報を一定期間内部の記憶部にページング抑止対象端末情報として保持しておく。その後、Ｓ−ＧＷ５５０が、新たにＰＤＮ−ＧＷ５６０からDownlink Dataを受け取った場合には、Ｓ−ＧＷ５５０は、当該Downlink Dataに係る無線通信端末がページング抑止対象となる端末であるかどうかを、前記一時的に記憶しているページング抑止対象端末情報を参照して判定する。当該判定の結果、Ｓ−ＧＷ５５０が、Downlink Dataに係る端末がページング抑止の対象となる端末であると判定した場合は、Ｓ−ＧＷ５５０は、ＭＭＥ５３１及びＳＧＳＮ４５２に対してDownlink Data Notificationは送信しない。当該構成とすることで、Downlink Data Notification Ackを利用して、ページング抑止対象端末に関する情報をＭＭＥ５３１とＳＧＳＮ４５２に加えてＳ―ＧＷ５５０とも共有することで、システムに大幅な変更を加えることなく、Ｓ−ＧＷ５５０とＭＭＥ５３１との間及びＳ−ＧＷ５５０とＳＧＳＮ４５２との間で発生する不要なシグナリングを更に削減することができる。
【０１９７】
（実施の形態１１）
上述の実施の形態７において、ＳＧＳＮは、アタッチ処理においてＨＬＲよりInsert Subscriber Dataを受信したタイミングでページング抑止対象端末であるかをネットワーク輻輳状態や端末種別、契約種別等の情報を用いて判定している。ここで、電車内や飛行機内における使用制限の拡大や、消費電力の大きいスマートフォンにおける電池切れ頻度の向上により、携帯端末よりAttach Requestが送信される頻度も高まっている。
【０１９８】
このような状況の中で、ＳＧＳＮがAttach Requestを受信する度に、上述のページング抑止端末であるかどうかの判定処理を行うとＳＧＳＮにかかる負荷が高くなる。本実施の形態１１は、上記ＳＧＳＮの処理を軽減することを目的としている。以下、図面を参照して具体的に説明する。
【０１９９】
図２９は、本実施の形態１１に係る移動体通信システムに係るアタッチ時の動作を示すシーケンス図である。
【０２００】
図２９においてＳＧＳＮ（ＮＥＷ）４５３は、ＭＳ４２０が今回のアタッチ処理で接続するＳＧＳＮを示しており、上記各実施の形態でそれぞれ説明したＳＧＳＮ４５０〜４５２に対応する。一方、ＳＧＳＮ（ＯＬＤ）４５４は、接続解除前に当該ＭＳ４２０を担当していたＳＧＳＮを示している。
【０２０１】
ＭＳ４２０は、アタッチ時に位置登録要求であるAttach RequestをＮｏｄｅＢ／ＲＮＣ４３０経由でＳＧＳＮ（ＮＥＷ）４５３に送信する（ステップＳ１３０１）。当該Attach Requestを受信したＳＧＳＮ（ＮＥＷ）４５３は、ＳＧＳＮ（ＯＬＤ）４５４に対して、当該端末の識別情報を要求するIdentification Requestを送信する（ステップＳ１３０２）。
【０２０２】
他のＳＧＳＮであるＳＧＳＮ（ＮＥＷ）４５３よりIdentification Requestを受信したＳＧＳＮ（ＯＬＤ）４５４は、当該Identification Requestに係るＭＳ４２０がページング抑止対象端末であるかを判定する（ステップＳ１３０３）。具体的には、ＳＧＳＮ（ＯＬＤ）４５４は、内部のページング抑止対象端末情報保持部に保持しているページング抑止端末情報を参照し、当該ＭＳ４２０を識別する情報がページング抑止対象端末情報として記憶されているかを確認する。
【０２０３】
ステップＳ１３０３における判定の結果、当該ＭＳ４２０がページング抑止対象端末であると判定された場合は、ＳＧＳＮ（ＯＬＤ）４５４は、当該Identification Requestに係るＭＳ４２０がページング抑止対象端末であることを示す識別子を付与してIdentification Responseを生成し、ＳＧＳＮ（ＮＥＷ）４５３に送信する（ステップＳ１３０４）。
【０２０４】
ＳＧＳＮ（ＯＬＤ）４５４よりIdentification Responseを受信したＳＧＳＮ（ＮＥＷ）４５３は、当該Identification Responseにページング抑止対象端末であることを示す識別子が付与されているかの確認・判定を行う。ＳＧＳＮ（ＮＥＷ）４５３は、Identification Responseにページング抑止対象端末であることを示す識別子が付与されている場合は、当該端末４２０を識別する識別子をページング抑止対象端末情報として内部のページング抑止対象端末情報保持部に格納する（ステップＳ１３０５）。
【０２０５】
その後は、標準的な認証処理や秘匿処理がＭＳ４２０、ＳＧＳＮ（ＮＥＷ）４５３、ＨＬＲ４４０等の間で行われる。
【０２０６】
上記認証処理等が完了した後、ＳＧＳＮ（ＮＥＷ）４５３は、ＨＬＲ４４０に対する位置登録情報であるUpdate Locationを送信する（ステップＳ１３０６）。
【０２０７】
ＨＬＲ４４０は、当該Update Locationを受信すると、ＳＧＳＮ（ＯＬＤ）４５４に対して位置消去メッセージであるCancel Locationを送信する（ステップＳ１３０７）。当該位置消去メッセージには受信したUpdate Locationに係るＭＳ４２０の端末情報（ＩＭＳＩ等）が含まれている。
【０２０８】
ＨＬＲ４４０よりCancel Locationを受信したＳＧＳＮ（ＯＬＤ）４５４は、当該Cancel Locationに係る端末の情報を消去する（ステップＳ１３０８）。
【０２０９】
ＳＧＳＮ（ＯＬＤ）４５４は、ステップＳ１３０８の消去を実行した後にＨＬＲ４４０にCancel Location Ackを送信する（ステップＳ１３０９）。当該Cancel Location Ackを受信したＨＬＲ４４０は、ＳＧＳＮ（ＮＥＷ）４５３に対して、加入者データ登録であるInsert Subscriber Dataを送信する（ステップＳ１３１０）。
【０２１０】
ＨＬＲ４４０より送信されたInsert Subscriber Dataを受信したＳＧＳＮ（ＮＥＷ）４５３は、当該Insert Subscriber Dataに基づいて上記位置登録要求を行うＭＳ４２０がページング抑止の対象となる端末であるかどうかの判定処理を行う（ステップＳ１３１１）。ＳＧＳＮ（ＮＥＷ）４５３は、当該判定処理でページング抑止対象端末であると判定した場合は、内部のページング抑止対象端末情報保持部に当該ＭＳ４２０を識別する識別子をページング抑止対象端末情報として格納する。
【０２１１】
ステップＳ１３１１における判定処理及び必要に応じた格納処理を行った後に、ＳＧＳＮ（ＮＥＷ）４５３は、ＨＬＲ４４０にInsert Subscriber Data Ackを送信し（ステップＳ１３１２）、ＨＬＲ４４０は、ＳＧＳＮ（ＮＥＷ）４５３にUpdate Location Ackを返す（ステップＳ１３１３）。その後は、標準的な流れに従って処理が進められアタッチ処理が完了する。
【０２１２】
図３０は、上記ステップＳ１３１１における判定処理の流れを示すフローチャート図である。なお、図１９で説明したステップＳ７０４における判定処理や、図２４で説明したステップＳ９０４における判定処理等におけるページング抑止対象端末であるかの判定処理についても図３０に示す判定処理としても良い。なお、ＳＧＳＮ４５３のブロック構成については図１８を援用して説明する。
【０２１３】
ＳＧＳＮ４５３において、ページング抑止対象端末判定部７２０は、受信部７１０においてInsert Subscriber Dataが受信されると、当該Insert Subscriber Dataに係るＭＳ４２０がページング抑止対象端末として既に登録済みであるかを判定する（ステップＳ１４０１）。具体的には、ページング抑止対象端末判定部７２０は、当該ＭＳ４２０を識別する識別子がページング抑止対象端末情報としてページング抑止対象端末情報保持部７３０に既に記憶されているかを確認する。
【０２１４】
ステップＳ１４０１における判定の結果、既に登録済みである場合は、当該判定処理を終了し、図２９におけるステップＳ１３１２に進む。一方、ステップＳ１４０１における判定の結果、当該ＭＳ４２０がページング抑止対象端末として登録されていない場合は、ステップＳ１４０２に進む。
【０２１５】
次に、ページング抑止対象端末判定部７２０は、ネットワークが輻輳状態であるかどうかを判定する（ステップＳ１４０２）。ネットワークが輻輳状態ではない場合は、ページング抑止対象端末判定部７２０は、現在の時刻がページング抑止の対象となる時間帯であるかどうかを判定する（ステップＳ１４０３）。
【０２１６】
現在の時刻が、ページング抑止の対象となる時間帯ではない場合は、ページング抑止対象端末判定部７２０は、当該ＭＳ４２０の端末種別がページング抑止の対象である端末種別であるかを判定する（ステップＳ１４０４）。
【０２１７】
ＭＳ４２０の端末種別がページング抑止の対象でない場合は、ページング抑止対象端末判定部７２０は、加入者情報の契約種別を参照し、当該契約種別がページング抑止の対象となっているかを判定する（ステップＳ１４０５）。
【０２１８】
ＭＳ４２０の契約種別がページング抑止の対象となっていない場合は、当該判定処理を終了し、図２９におけるステップＳ１３１２に進む。一方、上記ステップＳ１４０２〜ステップＳ１４０５において、それぞれ（１）ネットワークが輻輳状態である、（２）ページング抑止対象の時間帯である、（３）ページング抑止対象の端末種別である、（４）ページング抑止対象の契約種別である、と判定された場合は、ページング抑止対象端末判定部７２０は、当該ＭＳ４２０がページング抑止対象端末であると判断する。そして、ページング抑止対象端末判定部７２０は、当該ＭＳ４２０を識別する識別子をページング抑止対象端末情報としてページング抑止対象端末情報保持部７３０に格納し、（ステップＳ１４０６）。当該判定処理を終了して図２９におけるステップＳ１３１２に進む。
【０２１９】
以上のように、本実施の形態１１に係るＳＧＳＮ（ＮＥＷ）４５３は、ページング抑止対象であるかの具体的な判定処理を行う前に、当該位置登録要求に係る端末が既にページング抑止対象端末であるとして登録されているかを確認する。当該確認の結果、ページング抑止対象端末であるとして登録されている場合は、具体的な判定処理をスキップすることができるため、ＳＧＳＮ（ＮＥＷ）４５３における処理負荷を軽減することができる。ここで、attach Requestを受信するＳＧＳＮ（ＮＥＷ）４５３は、以前に担当していたＳＧＳＮ（ＯＬＤ）４５４よりページング抑止端末であることを示す情報を受け取って記憶しておくことができるため、既に他のＳＧＳＮで行われたページング抑止対象端末であるかの判定結果を共有することができる。
【０２２０】
なお、ＳＧＳＮにおけるページング抑止処理については、図２０と同様であるため説明を省略する。
【０２２１】
また、上記説明に係る移動体通信システムはＵＴＲＡＮである場合について説明したがこれに限定されるものではない。Ｅ−ＵＴＲＡＮにおける場合も同様である。すなわち、今回のアタッチ時に接続されるＭＭＥ（ＮＥＷ）は、以前に担当していたＭＭＥ（ＯＬＤ）へ当該端末の識別情報を要求するIdentification Requestを送信し、Identification Responseを受信する。当該端末がページング抑止対象端末としてＭＭＥ（ＯＬＤ）に登録されている場合は、ＭＭＥ（ＯＬＤ）がその旨を示す識別子を付与してIdentification Responseを送信する。従って、ＭＭＥ（ＮＥＷ）は、Identification Responseを受信した段階で、ページング抑止対象端末であることを示す識別子が付与されているかの確認及び判定を行い、付与されている場合は、当該端末を特定する識別子をページング抑止対象端末情報として内部のページング抑止対象端末情報保持部に格納する。このような構成により、Ｅ−ＵＴＲＡＮにおけるＭＭＥもＵＴＲＡＮにおけるＳＧＳＮと同様、ページング抑止対象端末情報をＭＭＥ間で共有できるため、ページング抑止対象端末であるかの判定処理を軽減することができる。
【０２２２】
（実施の形態１２）
本実施の形態１２は、ＳＭＳ（Short Message Service）についても抑止機能を実現するシステムを組み込むことを目的としている。以下、図面を用いて詳細に説明する。
【０２２３】
図３１は、本実施の形態１２に係る無線通信システムの構成を示すブロック図である。本実施の形態１２に係る無線通信システムは、ＳＣ（Service Center）１０１０と、ＳＭＳ−ＧＭＳＣ（SMS-Gateway Mobile Switching Center）１０２０と、ＳＭＳ−Ｒｏｕｔｅｒ１０３０と、ＭＳＣ（Mobile-services Switching Centre）１０４０と、ＨＬＲ４４０と、ＶＬＲ１０５０（Visitor Location Register）と、ＳＧＳＮ４５５と、ＭＳ４２０と、を含んで構成される。なお、図３１において基地局に該当するＮｏｄｅＢ／ＲＮＣについては表記を省略している。
【０２２４】
ＳＣ１０１０は、ショートメッセージを管理する装置であり、ＳＭＳ−ＧＭＳＣ１０２０と接続されている。各ＭＳ４２０より送信されたショートメッセージはＳＣ１０１０に届けられ、ＳＣ１０１０は、受け取ったショートメッセージをＳＭＳ−ＧＭＳＣ１０２０に転送する。
【０２２５】
ＳＭＳ−ＧＭＳＣ１０２０は、ＳＣ１０１０よりショートメッセージを受信すると、当該ショートメッセージの宛先である加入者(ＭＳ４２０)の位置情報をＨＬＲ４４０から取得し、どのＳＧＳＮ４５５又はＭＳＣ１０４０を経路として使用するかを決定する。ＳＭＳ−ＧＭＳＣ１０２０は、決定したＳＧＳＮ４５５又はＭＳＣ１０４０に対して対応するＳＭＳ-Ｒｏｕｔｅｒ１０３０を経由してショートメッセージを転送する。
【０２２６】
ＳＭＳ−Ｒｏｕｔｅｒ１０３０は、ＳＧＳＮ４５５、ＭＳＣ１０４０の異なるノード(ネットワーク)を束ねる装置であり、ＳＭＳ−ＧＭＳＣ１０２０がＳＧＳＮ４５５とＭＳＣ１０４０のどちらにもショートメッセージを転送できるようにする。なお、ショートメッセージサービスの伝送において、ＳＧＳＮ４５５又はＭＳＣ１０４０のいずれか片方しか使用しない場合は、システム内にＳＭＳ−Ｒｏｕｔｅｒ１０３０を設けなくても良い。
【０２２７】
ＭＳＣ１０４０は、移動通信サービスを提供するための呼接続制御、サービス制御等を実現するための機能を有するサービス交換装置である。ＭＳＣ１０４０は、ＳＭＳ−ＧＭＳＣ１０２０よりＳＭＳ−Ｒｏｕｔｅｒ１０３０を経由して送られてくるショートメッセージを受け取ると、ＶＬＲ１０５０に記憶されている加入者情報を参照してＭＳ４２０の位置を特定し、当該ＭＳ４２０に当該ショートメッセージを送信する。
【０２２８】
またＳＧＳＮ４５５も、ＳＭＳ−ＧＭＳＣ１０２０よりＳＭＳ−Ｒｏｕｔｅｒ１０３０を経由して送られてくるショートメッセージを受け取った場合は、ＭＳ４２０へショートメッセージを送信する。
【０２２９】
ＶＬＲ１０５０は、ＨＬＲ４４０の代わりに加入者情報を管理・保持する在圏網加入者管理装置であり、ＭＳＣ１０４０毎に配備される。
【０２３０】
次に本実施の形態１２におけるＭＴ−ＳＭＳ(ＳＭＳ端末着信処理)の動作について説明する。本実施の形態１２では、第１の処理としてショートメッセージを送信するＳＧＳＮ４５５とＭＳＣ１０４０とにおいて、ページング抑止の対象となる端末に関する情報を保持しておく必要がある。ここでは特に、ＭＳＣ１０４０においてページング抑止対象端末情報を格納する方法について詳しく説明する。
【０２３１】
図３２は、本実施の形態１２におけるアタッチ処理の動作を示すシーケンス図である。
ここでＳＧＳＮ（ＮＥＷ）４５５は、今回のアタッチ要求を受信するＳＧＳＮを、ＳＧＳＮ（ＯＬＤ）４５６は、接続解除前に当該ＭＳ４２０を担当していたＳＧＳＮをそれぞれ示している。また、ＭＳＣ（ＮＥＷ）１０４０は、ＳＧＳＮ（ＮＥＷ）４５５に対応するＭＳＣを、ＭＳＣ（ＯＬＤ）１０４１は、ＳＧＳＮ（ＯＬＤ）４５６に対応するＭＳＣをそれぞれ示している。
【０２３２】
ステップＳ１５０１〜ステップＳ１５０５は、図１９で既に説明したステップＳ７０１〜ステップＳ７０５と略同一であるため、説明を省略する。
【０２３３】
ステップＳ１５０５に続いて、Update Location AckがＳＧＳＮ（ＮＥＷ）４５５に返された後（ステップＳ１５０６）、ＳＧＳＮ４５５は、ＭＳＣ（ＮＥＷ）１０４０に対してＭＳＣ（ＮＥＷ）１０４０に配備されたＶＬＲ１０５０の位置更新を要求するLocation Update Requestを送信する（ステップＳ１５０７）。
【０２３４】
Location Update Requestを受信したＭＳＣ（ＮＥＷ）１０４０は、ＨＬＲ４４０に対する位置登録情報であるUpdate Locationを送信する（ステップＳ１５０８）。ＭＳＣ（ＮＥＷ）１０４０よりUpdate Locationを受信したＨＬＲ４４０は、ＭＳＣ（ＯＬＤ）１０４１に位置消去メッセージであるCancel Locationを送信する（ステップＳ１５０９）。Cancel Locationを受信したＭＳＣ（ＯＬＤ）１０４１は、自身に属するＶＬＲ１０５１の中から、当該Cancel Locationに係る情報を削除し、ＨＬＲ４４０に対してCancel Location Ackを送信する（ステップＳ１５１０）。当該Cancel Location Ackを受信したＨＬＲ４４０は、ＭＳＣ（ＮＥＷ）１０４０に対して、Insert Subscriber Dataを送信する（ステップＳ１５１１）。Insert Subscriber Dataを受信したＭＳＣ（ＮＥＷ）１０４０は、自身に属するＶＬＲ１０５０に当該Insert Subscriber Dataに含まれる加入者情報等を格納し、ＨＬＲに  Insert Subscriber Data Ackを送信する（ステップＳ１５１２）。続いてＨＬＲ４４０は、ＭＳＣ（ＮＥＷ）１０４０にUpdate Location Ackを送信する（ステップＳ１５１３）。
【０２３５】
ＨＬＲ４４０よりUpdate Location Ackを受信したＭＳＣ（ＮＥＷ）１０４０は、当該位置更新に係るＭＳ４２０がページング抑止対象端末であるかを判定する（ステップＳ１５１４）。
【０２３６】
具体的には、ＭＳＣ（ＮＥＷ）１０４０は、ステップＳ１５１１でＨＬＲ４４０より受け取ったInsert Subscriber Dataに含まれる端末種別や加入者情報の契約種別等を参照し、その他輻輳状態等も必要に応じて参照して当該ＭＳ４２０がページング抑止対象であるかを判定する。なお、当該判定処理には、図３０に示す処理手順を利用することができる。
【０２３７】
なお、当然のことながら図３０以外の判定基準を設けても良い。通常の通話やデータ送受信についてページング抑止を行うＳＧＳＮ４５５と、ショートメッセージ専用でページング抑止を行うＭＳＣ（ＮＥＷ）１０４０に抑止レベルの差を持たせておくことで柔軟な運用が可能となる。
【０２３８】
すなわち、災害時などで輻輳が発生する場合において、無線リソースの使用効率の悪い通話等は厳しくページング抑止判定を行い、比較的無線リソースの使用効率の高いショートメッセージでは安否確認等用にページング抑止判定を行っても良い。
【０２３９】
当該構成により、ショートメッセージを扱うＭＳＣにおいてもページング抑止を行うためにページング抑止対象端末を特定するための情報を参照可能な状態とすることができる。
【０２４０】
ＭＳＣ１０４０は、ページング抑止対象端末情報を自身に属するＶＬＲ１０５０に格納した後、ＳＧＳＮ４４５にLocation Update Acceptを送信する（ステップＳ１５１５）
【０２４１】
なお、上記説明では、ステップＳ１５１３のUpdate Location Ackを受信した段階でＭＳＣ（ＮＥＷ）１０４０がページング抑止対象端末判定処理を行う場合について説明したがこれに限定されるものではない。例えば、ステップＳ１５１１においてInsert Subscriber dataを受信した段階で、ＭＳＣ（ＮＥＷ）１０４０は、当該判定処理を行っても良い。
【０２４２】
また、ステップＳ１５０７においてＳＧＳＮ４５５よりLocation Update Requestを受信した段階で、当該判定処理を行っても良い。この場合、ＳＧＳＮ４５５は、ステップＳ１５０７におけるLocation Update Requestに当該要求に係る端末がページング抑止の対象であるかを示す識別子（フラグ）を合せて送信する。
【０２４３】
すなわち、ＳＧＳＮ４５５は、ステップＳ１５０４で既にページング抑止対象端末であるかの判定処理を行い、当該アタッチ処理に係る端末であるＭＳ４２０がページング抑止の対象であると判定された場合は、ページング抑止対象端末情報を保持している。
【０２４４】
そこで、ＳＧＳＮ４５５は、ページング抑止対象となる端末に関するLocation Update RequestをＭＳＣ（ＮＥＷ）１０４０に送信する場合は、当該Location Update Requestにページング抑止対象端末であるかを示す識別子（フラグ）を付与して送信する。
【０２４５】
ＭＳＣ（ＮＥＷ）１０４０は、受信したLocation Update Requestに含まれるページング抑止対象端末であるかを示す識別子を確認する。ＭＳＣ（ＮＥＷ）１０４０は、当該識別子がページング抑止対象端末であることを示している場合は、当該端末を識別する情報をページング抑止対象端末情報として保持する。ここで、ＭＳＣ（ＮＥＷ）１０４０は、当該ページング抑止対象端末情報を自身に属するＶＬＲ１０５０に格納することで、当該情報を保持する。
【０２４６】
当該構成とすることで、ページング抑止対象端末情報をＳＧＳＮ４５５とＭＳＣ（ＮＥＷ）１０４０との間で共有することができる。
【０２４７】
次に、ＳＧＳＮ４５５又はＭＳＣ１０４０が行うページング抑止処理について図３３に示すシーケンス図を用いて説明する。
【０２４８】
ＳＣ１０１０は、受け取ったショートメッセージをＳＭＳ−ＧＭＳＣ１０２０に送信する（ステップＳ１６０１）。ＳＭＳ-ＧＭＳＣ１０２０は、ＳＣ１０１０よりショートメッセージを受け取ると、ＨＬＲ４４０へショートメッセージ用の送信経路情報を送信する（ステップＳ１６０２）。当該送信経路情報は、ＨＬＲ４４０からＳＭＳ−Ｒｏｕｔｅｒ１０３０に送信され（ステップＳ１６０３）、ＨＬＲ４４０とＳＭＳ−Ｒｏｕｔｅｒ１０３０との間で経路選択が行われた後（ステップＳ１６０４）、ＳＭＳ−Ｒｏｕｔｅｒ１０３０からＳＭＳ−ＧＭＳＣ１０２０へ送信経路情報が応答される（ステップＳ１６０５）。
【０２４９】
ＳＭＳ−Ｒｏｕｔｅｒ１０３０より送信経路情報の応答を受信したＳＭＳ−ＧＭＳＣ１０２０は、当該応答に含まれる情報に従ってＳＭＳ−Ｒｏｕｔｅｒ１０３０へショートメッセージを送信する（ステップＳ１６０６）。
【０２５０】
ＳＭＳ−Ｒｏｕｔｅｒ１０３０は、ＳＭＳ−ＧＭＳＣ１０２０から受信したショートメッセージを適切なＭＳＣ１０４０又はＳＧＳＮ４５５へ送信する（ステップＳ１６０７）。
【０２５１】
ショートメッセージを受信したＭＳＣ１０４０又はＳＧＳＮ４５５は、それぞれ当該ショートメッセージについてページングを抑止するかを判定する（ステップＳ１６０８）。具体的には、当該ショートメッセージの宛先を示す識別情報が、ページング抑止対象端末情報として保持しているかを判定する。
【０２５２】
ステップＳ１６０８における判定の結果、当該ショートメッセージに係る宛先のＭＳ４２０がページング抑止対象となる端末ではなかった場合は、ＭＳＣ１０４０はＶＬＲ１０５０にＭＴ−ＳＭＳ用の送信経路情報を要求して送信経路を確立する（ステップＳ１６０９）。その後ＭＳＣ１０４０又はＳＧＳＮ４５５よりＭＳ４２０へショートメッセージが送信される（ステップＳ１６１０）。ショートメッセージ送信後のＭＳＣ１０４０又はＳＧＳＮ４５５は、ＳＭＳ−Ｒｏｕｔｅｒ１０３０へDelivery Reportを送信し（ステップＳ１６１３）、ＳＭＳ−Ｒｏｕｔｅｒ１０３０は、Delivery ReportをＳＭＳ−ＧＭＳＣ１０２０へ返す（ステップＳ１６１４）。
【０２５３】
当該Delivery Reportを受信したＳＭＳ−ＧＭＳＣ１０２０は、ＨＬＲ４４０との間でSM-Delivery Report Statusを交わし、（ステップＳ１６１５）、ＳＣ１０１０へDelivery Reportを送信する（ステップＳ１６１６）。
【０２５４】
なお、ステップＳ１６０８においてＭＳＣ１０４０又はＳＧＳＮ４５５がページングを抑止すると判断した場合は、ステップＳ１６０９とステップＳ１６１０の処理は行われない。また、この場合は、ページングを抑止したＭＳＣ１０４０又はＳＧＳＮ４５５は、ＳＭＳ−ＧＭＳＣ１０２０へＳＭＳ−Ｒｏｕｔｅｒ１０３０経由でＭＳ４２０がページング抑止対象である旨のDelivery Reportを送信する。
【０２５５】
また、図３２に示すページング抑止対象端末判定処理において、ＭＳＣ１０４０は、抑止対象として特定した端末を識別するページング抑止対象端末情報をＶＬＲ１０５０に格納する場合は、ステップＳ１６０８とステップＳ１６０９の順序が逆であっても良い。すなわち、ＭＳＣ１０４０は、ＳＭＳ−Ｒｏｕｔｅｒ１０３０よりショートメッセージを受信すると、ＶＬＲ１０５０に対してＭＴ−ＳＭＳ用の送信経路情報の送信又はページング抑止対象であることの通知を要求する。ＭＳＣ１０４０は、ＶＬＲ１０５０より、当該ショートメッセージの宛先であるＭＳ４２０がページング抑止対象である旨の応答を受信した場合は、ＭＳ４２０に対してショートメッセージを送信しない。このように構成しても良い。
【０２５６】
また、ＭＳＣ１０４０又はＳＧＳＮ４５５は、ページング抑止を行う場合には図３４に示すようにDelivery Reportの代わりにページング処理が失敗したことを示すFailure Reportを返しても良い。
【０２５７】
この場合、ステップＳ１６０８における判定後、ページング抑止を実行したＭＳＣ１０４０又はＳＧＳＮ４５５は、ＳＭＳ−Ｒｏｕｔｅｒ１０３０経由でＳＭＳ−ＧＭＳＣ１０２０へＭＳ４２０がページング抑止対象である旨のFailure Reportを送信する（ステップＳ１６１７、ステップＳ１６１８）。ＳＭＳ−ＧＭＳＣ１０２０は、ＨＬＲ４４０との間でSM-Delivery Report Statusを交わし（ステップＳ１６１９）、ＳＣ１０１０へFailure Reportを送信する（ステップＳ１６２０）。
【０２５８】
なお、ＳＭＳ−Ｒｏｕｔｅｒ１０３０が設けられず、ＳＭＳ−ＧＭＳＣ１０２０とＳＧＳＮ４５５又はＭＳＣ１０４０とが直接接続されていても良い。
【０２５９】
次に、Ｅ−ＵＴＲＡＮ方式の無線通信システムにおけるショートメッセージの抑止機能について説明する。図３５に示すＥ−ＵＴＲＡＮ方式の無線通信システムは、ＳＣ１０１０と、ＳＭＳ−ＧＭＳＣ１０２０と、ＭＳＣ１０４０と、ＨＬＲ４４０と、ＶＬＲ１０５０と、ＭＭＥ５３３と、ＭＳ４２０と、を含んで構成される。図３１と比較して、ＳＧＳＮ４５５及びＳＭＳ−Ｒｏｕｔｅｒ１０３０が無く、ＳＭＳ−ＧＭＳＣ１０２０よりＭＳＣ１０４０を通る一つの経路でショートメッセージがＭＳ４２０に送信される。また、ＭＭＥ５３３がＭＳＣ１０４０とＭＳ４２０の間に配置される。なお、図３５において基地局に該当するｅＮｏｄｅＢについては表記を省略している。
【０２６０】
前段階として、図２４に示すようにアタッチ処理においてＭＭＥ５３３にページング抑止対象となる端末かの判定が行われページング抑止対象端末情報が格納される（ステップＳ１７００）。
【０２６１】
ＭＭＥ５３３にページング抑止対象端末情報が格納されている状態において、ＳＣ１０１０がショートメッセージを受信したとする。この場合、ＳＣ１０１０は、受信したショートメッセージをＳＭＳ−ＧＭＳＣ１０２０に送信する（ステップＳ１７０１）。ショートメッセージを受信したＳＭＳ−ＧＭＳＣ１０２０は、ＨＬＲ４４０又はＨＳＳ５４０との間でショートメッセージ送信用の送信経路情報を交わして適切な経路を特定する（ステップＳ１７０２）。
【０２６２】
次にＳＭＳ−ＧＭＳＣ１０２０は、ステップＳ１７０２で特定したＭＳＣ１０４０へショートメッセージを送信する（ステップＳ１７０３）。ショートメッセージを受信したＭＳＣ１０４０は、ＭＭＥ５５３へページング依頼を行う（ステップＳ１７０４）。
【０２６３】
当該ページング依頼を受けたＭＭＥ５５３は、ページングを抑止するかを判定する（ステップＳ１７０５）。すなわち、ＭＭＥ５５３は、ステップＳ１７００において格納してあるページング抑止対象端末情報を参照して、ｅＮｏｄｅＢ５１０へのページングを実行するかを判定する。
【０２６４】
ＭＭＥ５５３がページングを実行すると判定した場合は、ＭＭＥ５５３からｅＮｏｄｅＢ５１０に対するページングが行われ、更にＵＥ５２０へのページングが行われる。一方、ＭＭＥ５３０は、抑止対象端末の識別子に該当した端末宛のページングについては抑止する。
【０２６５】
ＭＭＥ５５３は、ステップＳ１７０５においてｅＮｏｄｅＢ５１０へのページングを抑止すると判定した場合は、ＭＳＣ１０４０へ当該ページングに係る端末（ＵＥ５２０）はページングの抑止対象である旨の情報を含めたPaging Rejectを返す（ステップＳ１７０６）。
【０２６６】
当該Paging Rejectを受信したＭＳＣ１０４０は、ＳＭＳ−ＧＭＳＣ１０２０にDelivery Reportを送信し、ＳＭＳ−ＧＭＳＣ１０２０は、ＳＣ１０１０へDelivery Reportを送信する。
【０２６７】
なお、ＭＳＣ１０４０がＶＬＲ１０５０にページング抑止対象端末情報を保持している場合は、ＭＭＥ５５３では無く、ＭＳＣ１０４０がステップＳ１７０３でショートメッセージを受信した段階で、ページングを抑止するかの判定を行っても良い。
【０２６８】
以上のように、本実施の形態１２に係るＭＳＣは、位置更新要求に係る端末がページング抑止の対象となる端末かどうかを判定するページング抑止対象端末判定手段と、ショートメッセージが受信された場合に、ページングを抑止するかどうかの判定（判断）を行うページング抑止要否判断手段と、を備える。
【０２６９】
当該ＭＳＣが当該構成を備えることで、ショートメールがＳＧＳＮではなくＭＳＣを経路として送られる場合においても適切に止めることが可能となる。
【０２７０】
なお、ページング抑止対象端末判定手段は、判定によって得られた前記ページングを抑止するかの情報を加入者情報データベース（ＶＬＲ）に格納する格納手段を更に具備する。通常、ＭＳＣにはＶＬＲが備え付けられているため、当該ＶＬＲにページング抑止対象端末情報を格納しておくことが出来る。当該ページング抑止要否判定手段は、ＶＬＲを参照し、受信手段で受信されたショートメッセージの宛先がページング抑止の対象となる端末であるとしてＶＬＲに格納されている場合にページングを抑止する。このように構成することが可能である。
【０２７１】
以上各実施の形態で説明したように本願発明では移動体通信システムにページング抑止機能を組み込むことで不要なページング処理が発生することを防ぐことができ、ネットワーク負荷と装置負荷の軽減が可能となる。
【０２７２】
ここで、どのノードで抑止対象端末を特定し、どのノードでページング抑止を行うかは、様々な選択肢が考えられる。
【０２７３】
上述したように、例えば、上記実施の形態４では、ＵＴＲＡＮにおいて下位パケット交換機であるＳＧＳＮにおいて、ページング抑止対象端末であるかの判定処理を行っている。ＳＧＳＮは、受信部で接続要求であるActivate PDP Context Requestを受信した場合に当該接続要求の送信元のＭＳがページング抑止の対象となる端末（ページング抑止対象端末）であるかを判定する。ＳＧＳＮは、ページング抑止対象端末であると判定した場合は、Create PDP Context Requestにページング抑止対象端末であることを示す情報を含めて（付与して）ＧＧＳＮに送信する。Create PDP Context Requestを受信したＧＧＳＮは、当該Requestにページング抑止対象端末であることを示す情報が付与されている（含まれている）場合は、当該Requestで特定されるＭＳを識別する識別子をページング抑止対象端末情報として記憶部に記憶する。この状態で、外部ネットワークよりユーザパケットであるPDP PDUを受信した場合、ＧＧＳＮは、当該PDP PDUのパケットの宛先となるＭＳの識別子がページング抑止対象端末情報に記憶されているかを確認する。当該PDP PDUのパケットの宛先となるＭＳの識別子がページング抑止対象端末情報として記憶されている場合は、ＧＧＳＮがページングを抑止することで着信制御が行われることになる。
【０２７４】
実施の形態６も同様に、ＳＧＳＮでページング抑止対象端末を判定し、ＧＧＳＮでページング抑止の判断を行う。ここで、実施の形態６では、位置登録時にページング抑止対象端末であるかの判定を行って当該ＭＳを識別する識別子を記憶しておく。ここでいう位置登録時とは、ＭＳよりAttach Requestを受信した時点や、ＨＬＲよりInsert Subscriber dataを受信した時点など、一連の位置登録処理の間の所定のタイミングをいう。そして、接続要求（通信開始要求）であるActivate PDP ContextをＭＳより受信した場合に、当該ＭＳを識別する識別子が上記位置登録時にページング抑止対象端末であるとして記憶されていないかを確認することで、当該接続要求に係るＭＳがページング抑止対象端末であるかを判定する。ＳＧＳＮは、当該接続要求に係るＭＳがページング抑止対象端末であると判定した場合は、Create PDP Context Requestにページング抑止対象端末であることを示す情報を含めて（付与して）ＧＧＳＮに送信する。そして実施の形態４と同様、ＧＧＳＮで外部ネットワークより受信したPDP PDUについてページングを抑止するかを判断する。このように、位置登録時にページング抑止対象端末であるかを判定しておき、接続要求時は、上記判定結果を参照することで接続要求に係るＭＳがページング抑止対象端末かどうかを判定するだけで良いことになる。従って、接続要求から通信開始までに要する時間を短縮することができる。
【０２７５】
また、上述したように、例えば、上記実施の形態５では、Ｅ−ＵＴＲＡＮにおいて、モビリティマネージメントを行うＭＭＥにおいて、ページング抑止対象端末であるかの判定処理を行っている。ＭＭＥは、ページング抑止対象端末であると判定した場合はCreate Session Requestにページング抑止対象端末であることを示す情報を付与して（含めて）Ｓ−ＧＷ経由でＰ−ＧＷへ送信する。Create Session Requestを受信したＰ−ＧＷは、当該Requestにページング抑止対象端末であることを示す情報が付与されている（含まれている）場合は、当該Requestで特定されるＵＥを識別する識別子をページング抑止対象端末情報として記憶部に記憶する。この状態で、外部ネットワークよりユーザパケットであるDownlink Dataを受信した場合、Ｐ−ＧＷは、当該Downlink Dataのパケットの宛先となるＵＥの識別子がページング抑止対象端末情報に記憶されているかを確認する。当該Downlink Dataのパケットの宛先となるＵＥの識別子がページング抑止対象端末情報に記憶されている場合は、Ｐ−ＧＷがページングを抑止することで着信制御が行われることになる。
【０２７６】
このように、実施の形態４〜６では、外部ネットワークと接続するノードであるＧＧＳＮやＰ−ＧＷにおいて着信制御が行われる。従って、外部ネットワークからページング抑止対象端末に対するパケットが受信された場合でも、下位のノードへの通信が発生しないため、ネットワークにかかる負荷を軽減することができる。
【０２７７】
一方、実施の形態７では、位置登録時にＳＧＳＮがページング抑止対象端末であるかを判定し、ページング抑止対象端末に関する情報を記憶しておく。そして、当該ＳＧＳＮが上位ノードであるＧＧＳＮよりＰＤＰコンテキストの有効化を要求するPDU Notification Requestを受信した場合にページングを抑止するかを判断する構成をとる。このように、予め加入者情報を管理するＳＧＳＮでページング抑止対象端末情報を合せて管理することで、上位のパケット交換機であるＧＧＳＮを既存のまま利用することが可能となる。
【０２７８】
また、実施の形態８では、Ｅ−ＵＴＲＡＮにおいてＳ−ＧＷがページング抑止の判断を行う。外部ネットワークに接続されるＰ−ＧＷではなく移動体通信網の各地域にそれぞれ配置されるＳ−ＧＷでページング抑止の判断を行う構成とすることで、ローミングに対しても対応することができる。
【０２７９】
また、実施の形態９では、ＭＭＥがページング抑止の判断を行う。ＭＭＥは、モバイルマネージメントを行うノードであるため、当該ＭＭＥでページング抑止対象端末情報を合せて管理する構成とすることがネットワーク設計上好ましい。そこで、Ｓ−ＧＷより送信されるDownlink Data Notificationに基づいて、当該Downlink Data Notificationがページング抑止対象端末宛てのパケットの通知である場合は、ページングを抑止することで着信制御を行う。このような構成とすることで、ネットワークに大きな変更を加えずネットワークに着信制御機能を組み込むことができる。
【０２８０】
また、実施の形態１０のように、ＭＭＥとＳＧＳＮ間でContext Request及びContext Responseを用いてページング抑止の対象となる端末に関する情報を送受信することで、ＵＴＲＡＮとＥ−ＵＴＲＡＮが混在するシステムでも、大きな変更を行うことなく着信制御機能を組み込むことが可能となる。
【０２８１】
なお、本発明は上記の実施の形態に限定されるものではなく、今後の無線通信方式においてもページング処理を実施する装置にてページング抑止対象端末を判定する処理を実施する機能を持たせることで、不要なページングを抑止することも可能である。
【０２８２】
なお、上記説明では着信制御装置とページング抑止対象端末特定装置が異なる装置である場合について説明したが、これに限るものではなく１つの装置が上述の着信制御機能とページング抑止対象端末特定機能の両方を備えていても良い。
【０２８３】
すなわち、本発明の着信制御機能を有する着信制御システムは、図１４に示す通り、上述した通信開始要求受信部２１０、ページング抑止対象端末判定部２２０、ページング抑止対象端末情報保持部１１０、ページング抑止要否判断部１２０、パケット受信部１２０、の各部が移動体通信システムのコアネットワークに配置されること特徴とすることができる。
【０２８４】
なお、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【０２８５】
また、上述した各種プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０２８６】
また、各装置が保持しておくページング抑止対象端末情報は、ページング抑止の対象となる端末を識別する識別情報をリスト化することで保持しておく形態でも良いし、各端末を識別する識別情報毎にページング抑止の対象となる端末であることを示すフラグを付けて保持する形態であっても良い。
【０２８７】
以上、実施の形態を参照して本願発明を説明したが、本願発明は上記によって限定されるものではない。本願発明の構成や詳細には、発明のスコープ内で当業者が理解し得る様々な変更をすることができる。例えば、以下の形態をとることも可能である。
（付記１）
ページング抑止の対象となる無線通信端末に関するページング抑止対象端末情報を保持する保持手段と、ネットワーク側よりパケットを受信するパケット受信手段と、前記受信したパケットに係る無線通信端末に対するページングを抑止するかどうかを前記ページング抑止対象端末情報に基づいて判断する判断手段と、を具備する着信制御装置。
（付記２）
前記パケット受信手段は、PDP PDUを前記パケットとして受信し、前記判断手段は、前記受信したPDP PDUに係る無線通信端末に対するページングを抑止しないと判断した場合は、PDP Notification Requestをパケット交換機ＳＧＳＮに送信することでページング処理を開始させる、（付記１）に記載の着信制御装置。
（付記３）
前記パケット受信手段は、Downlink Dataを前記パケットとして受信し、前記判断手段は、前記受信したDownlink Dataの送信先の無線通信端末に対するページングを抑止しないと判断した場合は、Downlink Data Notificationをゲートウェイ装置Ｓ−ＧＷに送信することでページング処理を開始させる、（付記１）に記載の着信制御装置。
（付記４）
無線通信端末より送信される通信開始要求を受信する通信開始要求受信手段と、前記受信した通信開始要求に係る前記無線通信端末がページング抑止の対象となる端末かどうかを判定する判定手段と、前記判定手段が前記ページング抑止の対象となる端末であると判定した場合に前記無線通信端末を識別する情報をページング抑止対象端末情報として通知する通知手段と、を具備する着信制御対象端末特定装置。
（付記５）
自装置配下に在圏する無線通信端末の加入者情報を記憶する加入者情報記憶手段を更に具備し、前記判定手段は、前記受信した通信開始要求に係る前記無線通信端末の加入者情報を参照して前記通信開始要求に係る前記無線通信端末がページング抑止の対象となる端末かどうかを判定する、（付記４）に記載の着信制御対象端末特定装置。
（付記６）
前記加入者情報は、ページング抑止に係る内容を含む契約情報を含み、前記判定手段は、前記受信した通信開始要求に係る前記無線通信端末の契約情報に基づいて前記通信開始要求に係る前記無線通信端末がページング抑止の対象となる端末かどうかを判定する、（付記５）に記載の着信制御対象端末特定装置。
（付記７）
前記加入者情報は、端末種別に関する情報を含み、前記判定手段は、前記受信した通信開始要求に係る前記無線通信端末の端末種別に基づいて前記通信開始要求に係る前記無線通信端末がページング抑止の対象となる端末かどうかを判定する、（付記５）に記載の着信制御対象端末特定装置。
（付記８）
輻輳が発生しているかどうかを検出する輻輳検出手段を更に具備し、前記判定手段は、輻輳が発生しているかどうかに基づいて前記通信開始要求に係る前記無線通信端末がページング抑止の対象となる端末かどうかを判定する、（付記５）乃至（付記７）に記載の着信制御対象端末特定装置。
（付記９）
前記通信開始要求受信手段は、無線通信端末より送信されるActivate PDP Context Requestを前記通信開始要求として受信し、前記判定手段は、前記受信したActivate PDP Context Requestに係る前記無線通信端末がページング抑止の対象となる端末かどうかを判定し、前記通知手段は、前記ページング抑止対象端末情報をCreate PDP Context responseに含めて通知する、（付記４）乃至（付記８）に記載の着信制御対象端末特定装置。
（付記１０）
前記通信開始要求受信手段は、無線通信端末より送信されるAttach Requestを前記通信開始要求として受信し、前記判定手段は、前記受信したAttach Requestに係る前記無線通信端末がページング抑止の対象となる端末かどうかを判定し、前記通知手段は、前記ページング抑止対象端末情報をCreate Session Requestに含めて通知する、（付記４）乃至（付記８）に記載の着信制御対象端末特定装置。
（付記１１）
前記判定手段は、前記受信したAttach Requestに係る前記無線通信端末の位置登録更新が完了したことを示すUpdate Location Ackを受信した時点で、前記無線通信端末がページング抑止の対象となる端末かどうかを判定する、（付記１０）に記載の着信制御対象端末特定装置。
（付記１２）
ページング抑止の対象となる無線通信端末に関するページング抑止対象端末情報を保持する保持ステップと、ネットワーク側よりパケットを受信するパケット受信ステップと、前記受信したパケットに係る無線通信端末に対するページングを抑止するかどうかを前記ページング抑止対象端末情報に基づいて判断する判断ステップと、を備える着信制御方法。
（付記１３）
無線通信端末より送信される通信開始要求を受信する通信開始要求受信ステップと、前記受信された通信開始要求に係る前記無線通信端末がページング抑止の対象となる端末かどうかを判定する判定ステップと、前記判定ステップで前記ページング抑止の対象となる端末であると判定された場合に前記無線通信端末を識別する情報をページング抑止対象端末情報として通知する通知ステップと、を備える着信制御対象端末特定方法。
（付記１４）
無線通信端末より送信される通信開始要求を受信する通信開始要求受信手段と、前記受信した通信開始要求に係る前記無線通信端末がページング抑止の対象となる端末かどうかを判定する判定手段と、前記判定手段が前記ページング抑止の対象となる端末であると判定した場合に前記無線通信端末を識別する情報をページング抑止対象端末情報として保持する保持手段と、ネットワーク側よりパケットを受信するパケット受信手段と、前記受信したパケットに係る無線通信端末に対するページングを抑止するかどうかを前記ページング抑止対象端末情報に基づいて判断する判断手段と、を有する着信制御システム。
（付記１５）
無線通信端末より位置登録要求を受信する受信手段と、
前記無線通信端末がページング抑止の対象となる端末かどうかを判定する判定手段と、
前記判定手段でページング抑止の対象となる端末と判定された場合に、ページング抑止の対象であることを示す情報を送信する送信手段と、
を備える加入者パケット交換機（ＳＧＳＮ）又は移動管理制御装置（ＭＭＥ）。
（付記１６）
前記受信手段は、加入者情報データベース（ＨＬＲ又はＨＳＳ）より加入者情報（Insert Subscriber Data又はUpdate Location Ack）を受信し、
前記判定手段は、前記加入者情報に基づいて前記無線通信端末がページング抑止の対象となる端末かどうかを判定する、付記１５に記載の加入者パケット交換機又は移動管理制御装置。
（付記１７）
前記受信手段は、前記無線通信端末より接続要求（通信開始要求）を受信し、
前記送信手段は、ＰＤＰコンテキストの生成要求と合わせて前記ページング抑止の対象であることを示す情報を送信する、付記１６に記載の加入者パケット交換機又は移動管理制御装置。
（付記１８）
前記加入者情報に基づいてページング抑止の対象となる端末であると判定された前記無線通信端末を識別する情報を記憶する記憶手段を更に備え、
前記判定手段は、前記記憶手段に記憶されたページング抑止の対象となる端末を識別する情報に基づいて、前記受信された接続要求の送信元である前記無線通信端末が前記ページング抑止の対象となる端末であるかを判定し、
前記送信手段は、前記ページング抑止の対象となる端末であると判定された場合に、ＰＤＰコンテキストの生成要求と合わせて前記ページング抑止の対象であることを示す情報を送信する、付記１７に記載の加入者パケット交換機又は移動管理制御装置。
（付記１９）
無線通信端末より位置登録要求を受信する受信手段と、
前記無線通信端末がページング抑止の対象となる端末かどうかを判定する判定手段と、
前記ページング抑止の対象となる端末と判定された無線通信端末に関する情報を記憶する記憶手段と、
前記記憶された前記無線通信端末に関する情報を参照して、ページング抑止を行うかを判断する判断手段と、
を備える加入者パケット交換機又は移動管理制御装置。
（付記２０）
前記受信手段は、前記加入者パケット交換機より加入者情報の要求であるContext Requestを受信し、
前記判定手段は、前記Context Requestに係る無線通信端末を識別する情報が、ページング抑止の対象となる端末を識別する情報として前記記憶手段に記憶されているかを判定し、
前記判定の結果、前記記憶手段に記憶されている場合は、前記送信手段は、Context Responseにページング抑止の対象となる端末であることを示す情報を付与して前記加入者パケット交換機に送信する、付記１９に記載の移動管理制御装置。
（付記２１）
前記受信手段は、前記移動管理制御装置より加入者情報の要求であるContext Requestを受信し、
前記判定手段は、前記Context Requestに係る無線通信端末を識別する情報が、ページング抑止の対象となる端末を識別する情報として前記記憶手段に記憶されているかを判定し、
前記判定の結果、前記記憶手段に記憶されている場合は、前記送信手段は、Context Responseにページング抑止の対象となる端末であることを示す情報を付与して前記移動管理制御装置に送信する、付記１９に記載の加入者パケット交換機。
（付記２２）
前記受信手段は、前記無線通信端末よりTAU Requestを受信し、
前記送信手段は、前記TAU Requestに基づいて前記Context Requestを前記加入者パケット交換機に送信する、付記２０に記載の移動管理制御装置。
（付記２３）
前記受信手段は、前記無線通信端末よりRAU Requestを受信し、
前記送信手段は、前記RAU Requestに基づいて前記Context Requestを前記移動管理制御装置に送信する、付記２１に記載の加入者パケット交換機。
（付記２３）
前記受信手段は、PDU Notification Request又はDownlink Data Notificationを受信し、
前記判断手段は、前記受信手段で受信されたPDU Notification Request又はDownlink Data Notificationに基づくページングを抑止するかを判断する、付記１９に記載の加入者パケット交換機又は移動管理制御装置。
（付記２４）
移動管理制御装置よりCreate Session Requestを受信し、ネットワークからの着信パケットであるDownlink Dataを上位ゲートウェイ装置（Ｐ−ＧＷ）から受信する受信手段と、
前記Create Session Requestにページング抑止の対象となる端末に関する情報が含まれている場合、前記ページング抑止の対象となる端末に関する情報を記憶する記憶手段と、
前記Downlink Dataに基づくページングを抑止するかどうかを前記記憶手段に記憶された前記ページング抑止の対象となる端末に関する情報を参照して判断する判断手段と、
を備えるゲートウェイ装置（Ｓ−ＧＷ）。
（付記２５）
加入者パケット交換機（ＳＧＳＮ）より位置更新要求（Location Update Request）を受信し、加入者情報データベース（ＨＬＲ又はＨＳＳ）より加入者情報（Insert Subscriber Data）を受信する受信手段と、
前記位置更新要求に係る端末がページング抑止の対象となる端末かどうかを判定するページング抑止対象端末判定手段と、
前記受信手段でショートメッセージが受信された場合に、ページングを抑止するかどうかの判定を行うページング抑止要否判定手段と、
を備える移動通信交換装置（ＭＳＣ）。
（付記２６）
前記ページング抑止対象端末判定手段は、前記判定によって得られた前記ページングを抑止するかの情報を加入者情報データベース（ＶＬＲ）に格納する格納手段を更に具備し、
前記ページング抑止要否判定手段は、前記受信手段で受信された前記ショートメッセージの宛先が前記ページング抑止の対象となる端末であるとして前記加入者情報データベース（ＶＬＲ）に格納されている場合に前記ページングを抑止する、
付記２５記載の移動通信交換装置（ＭＳＣ）。
（付記２７）
前記受信手段で受信された前記位置更新要求に、ページング抑止の対象となる端末であることを示す識別子が含まれているかを確認する確認手段を更に具備し、
前記格納手段は、前記確認手段における確認の結果、前記識別子が含まれている場合は、前記位置更新要求に係る端末をページング抑止の対象となる端末であるとして前記ページングを抑止するかの情報を前記加入者情報データベース（ＶＬＲ）に格納する、
付記２６記載の移動通信交換装置（ＭＳＣ）。
【０２８８】
この出願は、２０１１年９月２８日に出願された日本出願特願２０１１−２１２３１９、２０１２年１月２５日に出願された日本出願特願２０１２−０１２９０９、及び２０１２年２月３日に出願された日本出願特願２０１２−０２１９５０を基礎とする優先権を主張し、その開示の全てをここに取り込む。
【産業上の利用可能性】
【０２８９】
本発明は着信制御機能を備えた移動体通信システムに関する。
【符号の説明】
【０２９０】
１０Ａ〜１０Ｃ  基地局                  ２０Ａ〜２０Ｅ  無線通信端末
１００  着信制御装置                    １１０  ページング抑止対象端末情報保持部
１２０  パケット受信部                  １３０  ページング抑止要否判断部
２００  ページング抑止対象端末特定装置  ２１０  通信開始要求受信部
２２０  ページング抑止対象端末判定部    ２３０  ページング抑止対象端末情報通知部
３００  ページング抑止対象端末特定装置  ３２０  ページング抑止対象端末判定部
３４０  加入者情報保持部                ３５０  輻輳状態検出部
３６０  ページング抑止対象時間管理部    ４１０  ＢＴＳ（基地局）
４２０  ＭＳ（移動局）                  ４３０  ＲＮＣ（無線回線制御局）
４４０  ＨＬＲ（加入者情報管理装置）    ４５０  ＳＧＳＮ（パケット交換機）
４６０  ＧＧＳＮ（パケット交換機）      ５１０  ＵＥ（無線通信端末）
５２０  ｅＮＢ（基地局）                ５３０  ＭＭＥ（移動管理用ノード）
５４０  ＨＳＳ（加入者情報管理装置）    ５５０  Ｓ−ＧＷ（ゲートウェイ装置）
５６０  Ｐ−ＧＷ（ゲートウェイ装置）    
５７０  ＰＣＲＦ（加入者ポリシー/課金ルール管理装置）
６１０  受信部                          ６２０  ページング抑止対象端末判定部
６３０  通知情報生成部                  ６４０  送信部
７１０  受信部                          ７２０  ページング抑止対象端末判定部
７３０  ページング抑止対象端末情報保持部
７４０  ページング抑止要否判断部（着信制御部）
７５０  通知情報生成部                  ７６０  送信部
８１０  受信部                          ８２０  ページング抑止対象端末判定部
８３０  ページング抑止対象端末情報保持部
８４０  ページング抑止要否判断部（着信制御部）
８５０  通知情報生成部                  ８６０  送信部
１０００、２０００  移動体通信システム
１０１０  ＳＣ（ショートメッセージ管理装置）
１０２０  ＳＭＳ−ＧＭＳＣ（ショートメッセージ転送装置）
１０３０  ＳＭＳ―Ｒｏｕｔｅｒ（ショートメッセージ中継装置）
１０４０  ＭＳＣ（サービス交換装置）
１０５０  ＶＬＲ（加入者情報管理装置）
４０００  移動体通信システム（ＵＴＲＡＮ）
５０００  移動体通信システム（Ｅ−ＵＴＲＡＮ）
【図１】
0005459442.tif 000002
【図２】
0005459442.tif 000003
【図３】
0005459442.tif 000004
【図４】
0005459442.tif 000005
【図５】
0005459442.tif 000006
【図６】
0005459442.tif 000007
【図７】
0005459442.tif 000008
【図８】
0005459442.tif 000009
【図９】
0005459442.tif 000010
【図１０】
0005459442.tif 000011
【図１１】
0005459442.tif 000012
【図１２】
0005459442.tif 000013
【図１３】
0005459442.tif 000014
【図１４】
0005459442.tif 000015
【図１５】
0005459442.tif 000016
【図１６】
0005459442.tif 000017
【図１７】
0005459442.tif 000018
【図１８】
0005459442.tif 000019
【図１９】
0005459442.tif 000020
【図２０】
0005459442.tif 000021
【図２１】
0005459442.tif 000022
【図２２】
0005459442.tif 000023
【図２３】
0005459442.tif 000024
【図２４】
0005459442.tif 000025
【図２５】
0005459442.tif 000026
【図２６】
0005459442.tif 000027
【図２７】
0005459442.tif 000028
【図２８】
0005459442.tif 000029
【図２９】
0005459442.tif 000030
【図３０】
0005459442.tif 000031
【図３１】
0005459442.tif 000032
【図３２】
0005459442.tif 000033
【図３３】
0005459442.tif 000034
【図３４】
0005459442.tif 000035
【図３５】
0005459442.tif 000036
【図３６】
0005459442.tif 000037